【事件の表示】
　特許第６２４３８７６号発明「向上された特殊再生機能のためのシステムおよび方法」の特許異議申立事件について、次のとおり決定する。
【結　論】
　特許第６２４３８７６号の特許請求の範囲を訂正請求書に添付された特許請求の範囲のとおり、訂正後の請求項〔１−１０〕、〔１１−２０〕について訂正することを認める。
　特許第６２４３８７６号の請求項１ないし２０に係る特許を維持する。
【理　由】
第１　手続の経緯
　特許第６２４３８７６号の請求項１〜２０に係る特許についての出願は、２００６年（平成１８年）１２月１２日（パリ条約による優先権主張外国庁受理２００６年２月２８日、米国）を国際出願日とする特願２００８−５５７２５５号の一部を数次の分割を経て平成２７年７月３１日に新たな特許出願としたものであって、平成２９年１１月１７日にその特許権の設定登録がされ、その後、その特許について、特許異議申立人松田純一により特許異議の申立てがされ、平成３０年８月１７日付けで取消理由が通知され、平成３０年１１月２０日に意見書が提出され、平成３０年１２月２７日付けで取消理由（決定の予告）が通知され、平成３１年４月８日に意見書の提出及び訂正の請求があり、その訂正の請求に対して特許異議申立人松田純一から令和元年５月２２日付けで意見書が提出されたものである。
　　
第２　訂正の適否についての判断
１　訂正の内容
　本件訂正請求による訂正の内容は以下の（１−１）〜（２−４）のとおりである。
　　
（１−１）請求項１〜２、５〜７に係る訂正
ア　特許請求の範囲の請求項１において、「前記逆方向ストリームは、実質的に連続する逆の順番で第１のアクセスポイントから前記映像の始まりに向かって前記映像を含む」とあるのを「前記逆方向ストリームは、
前記映像のフレームをスキップすることなく
　当該訂正を以下「訂正事項１−１」という。
　　
イ　特許請求の範囲の請求項１において、「前記逆方向ストリームの内容を逆方向バッファ内にキャッシュすること」とあるのを「
前記映像が伝送されている間に
　当該訂正を以下「訂正事項１−２」という。
ウ　特許請求の範囲の請求項１において、「前記逆方向インジケータの位置は、前記映像の内容がアクセス可能な最も早いポイントを示す」とあるのを「前記逆方向インジケータの位置は、前記映像の内容がアクセス可能な最も早いポイントを示
し、
　
前記方法は、
　
ユーザの巻き戻し要求を受信することと、
　
前記巻き戻し要求に応答して、前記転送制御バーに沿って逆方向に移動する逆方向カーソルを表示することと、
　
前記巻き戻し要求に続いて、前記ユーザから再生要求を受信したことに応答して、前記逆方向バッファ内にキャッシュされた前記逆方向ストリームを用いて、前記逆方向カーソルの現在の位置から前記映像を再生することと
　
をさらに含む
　当該訂正を以下「訂正事項１−３」という。
　　
（１−２）請求項３〜４に係る訂正
ア　特許請求の範囲の請求項３において、「前記逆方向インジケータの現在の位置に対応する逆方向プレビュー画像を表示することをさらに含む、請求項１に記載の方法。」とあるのを「
非オンデマンド映像を巻き戻すための方法であって、前記方法は、
　
映像伝送の開始点よりも後の第１のアクセスポイントにおいて前記映像にアクセスすることと、
　
前記第１のアクセスポイントよりも前に伝送された前記映像の内容を含む逆方向ストリームを受信することであって、前記逆方向ストリームは、実質的に連続する逆の順番で第１のアクセスポイントから前記映像の始まりに向かって前記映像を含む、ことと、
　
前記逆方向ストリームの内容を逆方向バッファ内にキャッシュすることと、逆方向バーを含む転送制御バーを表示することと
　
を含み、
　
前記逆方向バーは、前記第１のアクセスポイントにおいて始まり、逆方向インジケータにおいて終わり、
　
前記逆方向インジケータは、前記逆方向ストリームの内容が前記逆方向バッファ内にキャッシュされるにつれて、前記第１のアクセスポイントから前記映像の始まりに向かって逆方向に移動し、
　
前記逆方向インジケータの位置は、前記映像の内容がアクセス可能な最も早いポイントを示し、
　
前記方法は、前記逆方向インジケータの現在の位置に対応する逆方向プレビュー画像を表示することをさらに含む、方法。
　当該訂正を以下「訂正事項２」という。
　　
（１−３）請求項８〜９に係る訂正
ア　特許請求の範囲の請求項８において、「前記順方向インジケータの現在の位置に対応する順方向プレビュー画像を表示することをさらに含む、請求項７に記載の方法。」とあるのを「
非オンデマンド映像を巻き戻すための方法であって、前記方法は、
　
映像伝送の開始点よりも後の第１のアクセスポイントにおいて前記映像にアクセスすることと、
　
前記第１のアクセスポイントよりも前に伝送された前記映像の内容を含む逆方向ストリームを受信することであって、前記逆方向ストリームは、実質的に連続する逆の順番で第１のアクセスポイントから前記映像の始まりに向かって前記映像を含む、ことと、
　
前記逆方向ストリームの内容を逆方向バッファ内にキャッシュすることと、
　
逆方向バーを含む転送制御バーを表示することと
　
を含み、
　
前記逆方向バーは、前記第１のアクセスポイントにおいて始まり、逆方向インジケータにおいて終わり、
　
前記逆方向インジケータは、前記逆方向ストリームの内容が前記逆方向バッファ内にキャッシュされるにつれて、前記第１のアクセスポイントから前記映像の始まりに向かって逆方向に移動し、
　
前記逆方向インジケータの位置は、前記映像の内容がアクセス可能な最も早いポイントを示し、
　
前記方法は、
　
まだ伝送されていない前記映像の内容を含む順方向ストリームを受信することであって、前記順方向ストリームは、前記映像が最初にアクセスされた時間の後から前記映像の終わりに向かって順方向に前記映像をストリームし、前記順方向ストリームは、リアルタイムよりも速く伝送される、ことと、
　
前記順方向ストリームの内容を順方向バッファ内にキャッシュすることと
　
をさらに含み、
　
前記転送制御バーは、順方向バーをさらに含み、
　
前記順方向バーは、前記第１のアクセスポイントにおいて始まり、順方向インジケータにおいて終わり、
　
前記順方向インジケータは、前記順方向ストリームの内容が前記順方向バッファ内にキャッシュされるにつれて、前記第１のアクセスポイントから前記映像の終わりに向かって順方向に移動し、
　
前記順方向インジケータの位置は、前記映像の内容がアクセス可能な最も遅いポイントを示し、
　
前記方法は、
、
　当該訂正を以下「訂正事項３」という。
　　
（１−４）請求項１０に係る訂正
ア　特許請求の範囲の請求項１０において、「複数の逆方向インジケータと、前記複数の逆方向インジケータのうちの個々のいくつかに関連付けられた複数の逆方向プレビュー画像とを表示することをさらに含む、請求項１に記載の方法。」とあるのを「
非オンデマンド映像を巻き戻すための方法であって、前記方法は、
　
映像伝送の開始点よりも後の第１のアクセスポイントにおいて前記映像にアクセスすることと、
　
前記第１のアクセスポイントよりも前に伝送された前記映像の内容を含む逆方向ストリームを受信することであって、前記逆方向ストリームは、実質的に連続する逆の順番で第１のアクセスポイントから前記映像の始まりに向かって前記映像を含む、ことと、
　
前記逆方向ストリームの内容を逆方向バッファ内にキャッシュすることと、
　
逆方向バーを含む転送制御バーを表示することと
　
を含み、
　
前記逆方向バーは、前記第１のアクセスポイントにおいて始まり、逆方向インジケータにおいて終わり、
　
前記逆方向インジケータは、前記逆方向ストリームの内容が前記逆方向バッファ内にキャッシュされるにつれて、前記第１のアクセスポイントから前記映像の始まりに向かって逆方向に移動し、
　
前記逆方向インジケータの位置は、前記映像の内容がアクセス可能な最も早いポイントを示し、
　
前記方法は、
、
　当該訂正を以下「訂正事項４」という。
　　
（２−１）請求項１１〜１２に係る訂正
ア　特許請求の範囲の請求項１１において、「前記逆方向ストリームは、実質的に連続する逆の順番で第１のアクセスポイントから前記映像の始まりに向かって前記映像を含む」とあるのを「前記逆方向ストリームは、
前記映像のフレームをスキップすることなく
　当該訂正を以下「訂正事項５−１」という。
　　
イ　特許請求の範囲の請求項１１において、「前記逆方向ストリームの内容を逆方向バッファ内にキャッシュする手段」とあるのを「
前記映像が伝送されている間に
　当該訂正を以下「訂正事項５−２」という。
　　
ウ　特許請求の範囲の請求項１１において、「前記逆方向インジケータの位置は、前記映像の内容がアクセス可能な最も早いポイントを示す」とあるのを「前記逆方向インジケータの位置は、前記映像の内容がアクセス可能な最も早いポイントを示
し、
　
前記システムは、
　
ユーザの巻き戻し要求を受信する手段と、
　
前記巻き戻し要求に応答して、前記転送制御バーに沿って逆方向に移動する逆方向カーソルを表示する手段と、
　
前記巻き戻し要求に続いて、前記ユーザから再生要求を受信したことに応答して、前記逆方向バッファ内にキャッシュされた前記逆方向ストリームを用いて、前記逆方向カーソルの現在の位置から前記映像を再生する手段と
　
をさらに含む
　当該訂正を以下「訂正事項５−３」という。
　　
（２−２）請求項１３〜１７に係る訂正
ア　特許請求の範囲の請求項１３において、「前記逆方向インジケータの現在の位置に対応する逆方向プレビュー画像を表示する手段をさらに含む、請求項１１に記載のシステム。」とあるのを「
非オンデマンド映像を巻き戻すためのシステムであって、前記システムは、
　
映像伝送の開始点よりも後の第１のアクセスポイントにおいて前記映像にアクセスする手段と、
　
前記第１のアクセスポイントよりも前に伝送された前記映像の内容を含む逆方向ストリームを受信する手段であって、前記逆方向ストリームは、実質的に連続する逆の順番で第１のアクセスポイントから前記映像の始まりに向かって前記映像を含む、手段と、
　
前記逆方向ストリームの内容を逆方向バッファ内にキャッシュする手段と、
　
逆方向バーを含む転送制御バーを表示する手段と
　
を含み、
　
前記逆方向バーは、前記第１のアクセスポイントにおいて始まり、逆方向インジケータにおいて終わり、
　
前記逆方向インジケータは、前記逆方向ストリームの内容が前記逆方向バッファ内にキャッシュされるにつれて、前記第１のアクセスポイントから前記映像の始まりに向かって逆方向に移動し、
　
前記逆方向インジケータの位置は、前記映像の内容がアクセス可能な最も早いポイントを示し、
　
前記システムは、
、
　当該訂正を以下「訂正事項６−１」という。
　　
イ　特許請求の範囲の請求項１５において、「請求項１１に記載のシステム。」とあるのを「請求項
１３
　当該訂正を以下「訂正事項６−２」という。
　　
ウ　特許請求の範囲の請求項１６において、「請求項１１に記載のシステム。」とあるのを「請求項
１３
　当該訂正を以下「訂正事項６−３」という。
　　
（２−３）請求項１８〜１９に係る訂正
ア　特許請求の範囲の請求項１８において、「前記順方向インジケータの現在の位置に対応する順方向プレビュー画像を表示する手段をさらに含む、請求項１７に記載のシステム。」とあるのを「
非オンデマンド映像を巻き戻すためのシステムであって、前記システムは、
　
映像伝送の開始点よりも後の第１のアクセスポイントにおいて前記映像にアクセスする手段と、
　
前記第１のアクセスポイントよりも前に伝送された前記映像の内容を含む逆方向ストリームを受信する手段であって、前記逆方向ストリームは、実質的に連続する逆の順番で第１のアクセスポイントから前記映像の始まりに向かって前記映像を含む、手段と、
　
前記逆方向ストリームの内容を逆方向バッファ内にキャッシュする手段と、
　
逆方向バーを含む転送制御バーを表示する手段と
　
を含み、
　
前記逆方向バーは、前記第１のアクセスポイントにおいて始まり、逆方向インジケータにおいて終わり、
　
前記逆方向インジケータは、前記逆方向ストリームの内容が前記逆方向バッファ内にキャッシュされるにつれて、前記第１のアクセスポイントから前記映像の始まりに向かって逆方向に移動し、
　
前記逆方向インジケータの位置は、前記映像の内容がアクセス可能な最も早いポイントを示し、
　
前記システムは、
　
まだ伝送されていない前記映像の内容を含む順方向ストリームを受信する手段であって、前記順方向ストリームは、前記映像が最初にアクセスされた時間の後から前記映像の終わりに向かって順方向に前記映像をストリームし、前記順方向ストリームは、リアルタイムよりも速く伝送される、手段と、
　
前記順方向ストリームの内容を順方向バッファ内にキャッシュする手段とをさらに含み、
　
前記転送制御バーは、順方向バーをさらに含み、
　
前記順方向バーは、前記第１のアクセスポイントにおいて始まり、順方向インジケータにおいて終わり、
　
前記順方向インジケータは、前記順方向ストリームの内容が前記順方向バッファ内にキャッシュされるにつれて、前記第１のアクセスポイントから前記映像の終わりに向かって順方向に移動し、
　
前記順方向インジケータの位置は、前記映像の内容がアクセス可能な最も遅いポイントを示し、
　
前記システムは、
、
　当該訂正を以下「訂正事項７」という。
　　
（２−４）請求項２０に係る訂正
ア　特許請求の範囲の請求項２０において、「複数の逆方向インジケータと、前記複数の逆方向インジケータのうちの個々のいくつかに関連付けられた複数の逆方向プレビュー画像とを表示する手段をさらに含む、請求項１１に記載のシステム。」とあるのを「
非オンデマンド映像を巻き戻すためのシステムであって、前記システムは、
　
映像伝送の開始点よりも後の第１のアクセスポイントにおいて前記映像にアクセスする手段と、
　
前記第１のアクセスポイントよりも前に伝送された前記映像の内容を含む逆方向ストリームを受信する手段であって、前記逆方向ストリームは、実質的に連続する逆の順番で第１のアクセスポイントから前記映像の始まりに向かって前記映像を含む、手段と、
　
前記逆方向ストリームの内容を逆方向バッファ内にキャッシュする手段と、
　
逆方向バーを含む転送制御バーを表示する手段と
　
を含み、
　
前記逆方向バーは、前記第１のアクセスポイントにおいて始まり、逆方向インジケータにおいて終わり、
　
前記逆方向インジケータは、前記逆方向ストリームの内容が前記逆方向バッファ内にキャッシュされるにつれて、前記第１のアクセスポイントから前記映像の始まりに向かって逆方向に移動し、
　
前記逆方向インジケータの位置は、前記映像の内容がアクセス可能な最も早いポイントを示し、
　
前記システムは、
、
　当該訂正を以下「訂正事項８」という。
　　
２　訂正の目的の適否、一群の請求項、新規事項の有無、及び特許請求の範囲の拡張・変更の存否
（１−１）請求項１〜２、５〜７に係る訂正
ア　訂正事項１−１
（ア）訂正の目的について
　訂正事項１−１は、訂正前の請求項１の「前記逆方向ストリーム」を限定しているものと認められる。
　したがって、訂正事項１−１は、特許法第１２０条の５第２項ただし書第１号に規定する特許請求の範囲の減縮を目的とするものである。
　同様に、訂正後の請求項２、５〜７は、訂正後の請求項１の記載を引用することにより、訂正後の請求項２、５〜７に係る発明をより具体的に特定し、更に限定するものであるため、特許法第１２０条の５第２項ただし書第１号に規定する特許請求の範囲の減縮を目的とするものである。
　　
（イ）実質上特許請求の範囲を拡張し、又は変更する訂正ではないこと
　上記（ア）のとおり、訂正事項１−１は、発明特定事項を限定的に減縮するものであり、カテゴリーや対象、目的を変更するものではないから、実質上特許請求の範囲を拡張し、又は変更するものには該当せず、特許法第１２０条の５第９項で準用する特許法第１２６条第６項の規定に適合するものである。
　訂正事項１−１は、訂正前の請求項１の記載を直接的又は間接的に引用する訂正前の請求項２、５〜７の記載についても実質的に訂正するものであるが、上記のとおり、訂正後の請求項１の記載は、訂正前の請求項１との関係で特許請求の範囲を実質的に拡張し、又は変更するものではない。
　また、訂正事項１−１は、訂正前の請求項１の記載以外に、訂正前の請求項２〜５の記載について何ら訂正するものではなく、訂正後の請求項２、５〜７に係る発明のカテゴリーや対象、目的を変更するものではない。
　したがって、訂正事項１−１は、訂正前の請求項２、５〜７との関係で、実質上特許請求の範囲を拡張し、又は変更する訂正ではなく、特許法第１２０条の５第９項で準用する特許法第１２６条第６項の規定に適合するものである。
　　
（ウ）願書に添付した明細書、特許請求の範囲又は図面に記載した事項の範囲内の訂正であること
　願書に添付した明細書の段落【０００６】には、
「クライアントアプリケーション（本明細書では「特殊再生クライアント」と称される場合がある）は、ユーザ機器上に実装される。ユーザがストリームの視聴を開始すると、クライアントは、ユーザが、バッファを介して、ストリームの視聴を開始した時点に巻き戻しできるように、視聴されている映像のキャッシュを開始する。ユーザがアクセスする前に開始された（例えば、自動的に、またはユーザ要求に応じて）映像にユーザがアクセスすると同時に、またはアクセスした後に、クライアントは、サーバによってキャッシュまたは記録された映像のコピーから、サーバによって生成された逆方向ストリームをサーバから受信する。
逆方向ストリームは、ユーザが最初に映像にアクセスした時点から逆方向に、完全映像（例えば、任意のフレームをスキップせずに）をストリーム配信する。
と記載されている（下線は当審で付与した。）。
　　
　段落【０００６】の記載によると、訂正事項１−１は、願書に添付した明細書、特許請求の範囲又は図面に記載した事項の範囲内である。
　したがって、訂正事項１−１は、願書に添付した明細書、特許請求の範囲又は図面に記載した事項の範囲内の訂正であり、特許法第１２０条の５第９項で準用する特許法第１２６条第５項の規定に適合するものである。
　　
イ　訂正事項１−２
（ア）訂正の目的について
　訂正事項１−２は、訂正前の請求項１の「前記逆方向ストリームの内容を逆方向バッファ内にキャッシュすること」をさらに限定しているものと認められる。
　したがって、訂正事項１−２は、特許法第１２０条の５第２項ただし書第１号に規定する特許請求の範囲の減縮を目的とするものである。
　同様に、訂正後の請求項２、５〜７は、訂正後の請求項１の記載を引用することにより、訂正後の請求項２、５〜７に係る発明をより具体的に特定し、更に限定するものであるため、特許法第１２０条の５第２項ただし書第１号に規定する特許請求の範囲の減縮を目的とするものである。
　　
（イ）実質上特許請求の範囲を拡張し、又は変更する訂正ではないこと
　上記（ア）のとおり、訂正事項１−２は、発明特定事項を限定的に減縮するものであり、カテゴリーや対象、目的を変更するものではないから、実質上特許請求の範囲を拡張し、又は変更するものには該当せず、特許法第１２０条の５第９項で準用する特許法第１２６条第６項の規定に適合するものである。
　訂正事項１−２は、訂正前の請求項１の記載を直接的又は間接的に引用する訂正前の請求項２、５〜７の記載についても実質的に訂正するものであるが、上記のとおり、訂正後の請求項１の記載は、訂正前の請求項１との関係で特許請求の範囲を実質的に拡張し、又は変更するものではない。
　また、訂正事項１−２は、訂正前の請求項１の記載以外に、訂正前の請求項２〜５の記載について何ら訂正するものではなく、訂正後の請求項２、５〜７に係る発明のカテゴリーや対象、目的を変更するものではない。
　したがって、訂正事項１−２は、訂正前の請求項２、５〜７との関係で、実質上特許請求の範囲を拡張し、又は変更する訂正ではなく、特許法第１２０条の５第９項で準用する特許法第１２６条第６項の規定に適合するものである。
　　
（ウ）願書に添付した明細書、特許請求の範囲又は図面に記載した事項の範囲内の訂正であること
　願書に添付した明細書の段落【００３７】には、
「いくつかの実施形態では、特殊再生クライアントは、ユーザが所与の時間映像を視聴するまで、逆方向および／または順方向ストリームを要求または受信しない。記録装置１１８が、所与の時間の間にリアルタイムストリームをキャッシュした場合（例えば、リアルタイムバッファ内に）、
特殊再生クライアントは、ユーザが映像の視聴を開始した時に、逆方向ストリームを開始し
と記載されている（下線は当審で付与した。）。
　段落【００３７】の記載によると、訂正事項１−２は、願書に添付した明細書、特許請求の範囲又は図面に記載した事項の範囲内である。
　したがって、訂正事項１−２は、願書に添付した明細書、特許請求の範囲又は図面に記載した事項の範囲内の訂正であり、特許法第１２０条の５第９項で準用する特許法第１２６条第５項の規定に適合するものである。
　　
ウ　訂正事項１−３
（ア）訂正の目的について
　訂正事項１−３は、訂正前の請求項１の「非オンデマンド映像を巻き戻すためのシステム」をさらに限定しているものと認められる。
　したがって、訂正事項１−３は、特許法第１２０条の５第２項ただし書第１号に規定する特許請求の範囲の減縮を目的とするものである。
　同様に、訂正後の請求項２、５〜７は、訂正後の請求項１の記載を引用することにより、訂正後の請求項２、５〜７に係る発明をより具体的に特定し、更に限定するものであるため、特許法第１２０条の５第２項ただし書第１号に規定する特許請求の範囲の減縮を目的とするものである。
　　
（イ）実質上特許請求の範囲を拡張し、又は変更する訂正ではないこと
　上記（ア）のとおり、訂正事項１−３は、「非オンデマンド映像を巻き戻すための方法」を限定的に減縮するものであり、カテゴリーや対象、目的を変更するものではないから、実質上特許請求の範囲を拡張し、又は変更するものには該当せず、特許法第１２０条の５第９項で準用する特許法第１２６条第６項の規定に適合するものである。
　訂正事項１−３は、訂正前の請求項１の記載を直接的又は間接的に引用する訂正前の請求項２、５〜７の記載についても実質的に訂正するものであるが、上記のとおり、訂正後の請求項１の記載は、訂正前の請求項１との関係で特許請求の範囲を実質的に拡張し、又は変更するものではない。
　また、訂正事項１−３は、訂正前の請求項１の記載以外に、訂正前の請求項２、５〜７の記載について何ら訂正するものではなく、訂正後の請求項２、５〜７に係る発明のカテゴリーや対象、目的を変更するものではない。
　したがって、訂正事項１−３は、訂正前の請求項２、５〜７との関係で、実質上特許請求の範囲を拡張し、又は変更する訂正ではなく、特許法第１２０条の５第９項で準用する特許法第１２６条第６項の規定に適合するものである。
　
（ウ）願書に添付した明細書、特許請求の範囲又は図面に記載した事項の範囲内の訂正であること
　願書に添付した明細書の段落【００４２】、【００４３】、【００６４】、図６は次のとおりである（下線は当審で付与した。）。
　　
「【００４２】
　図６は、拡張転送制御バー内の逆方向および順方向バッファの視覚表現の別の例示的ディスプレイを示す。画面６００は、ユーザが視聴している映像６０２および拡張転送制御バー６１０を含む。拡張転送制御バー６１０は、映像の開始時間６１２および終了時間６１４、ユーザのために現在の再生位置を示すカーソル６２０、ならびに逆方向バッファ６３２および順方向バッファ６３４の表現を含む。また、拡張転送制御バー６１０は、逆方向プレビュー画像６２４および順方向プレビュー画像６２８にそれぞれ付随する、逆方向カーソル６２２および順方向カーソル６２６を含む。特に、逆方向プレビュー画像６２４は、逆方向カーソル６２２の位置に対応し、順方向プレビュー画像６２８は、順方向カーソル６２６の位置に対応してもよい。いくつかの実施形態では、ユーザは、特殊再生クライアントに、複数の逆方向および順方向カーソルならびに付随するプレビュー画像を表示させてもよい。
【００４３】
　いくつかの実施形態では、逆方向および順方向カーソルは、特殊再生クライアントが現在キャッシュしている、逆方向および順方向ストリームのフレームに対応してもよい。別様に、
逆方向および順方向カーソルは、ユーザの特殊再生要求（例えば、プレビュー画像６２４または６２８の巻き戻しまたは早送り）に対応してもよい
　　
「【００６４】
　ステップ１１２０では、特殊再生クライアントは、ユーザが、映像の再生を所望する映像フレームを識別する。例えば、
ユーザが、逆方向バッファから映像を巻き戻している際に、「再生」キーを選択する場合
　　
「【図６】
」
　　
　願書に添付した明細書の段落【００４２】、【００４３】、【００６４】の記載、図６によると、訂正事項１−３は、願書に添付した明細書、特許請求の範囲又は図面に記載した事項の範囲内である。
　したがって、訂正事項１−３は、願書に添付した明細書、特許請求の範囲又は図面に記載した事項の範囲内の訂正であり、特許法第１２０条の５第９項で準用する特許法第１２６条第５項の規定に適合するものである。
　　
（１−２）請求項３〜４に係る訂正
ア　訂正事項２
（ア）訂正の目的について
　訂正事項２は、訂正前の請求項３を他の請求項の記載を引用しないものとする訂正であるから、特許法第１２０条の５第２項ただし書第４号に規定する他の請求項の記載を引用する請求項の記載を当該他の請求項の記載を引用しないものとすることを目的とするものである。
　同様に、訂正後の請求項４は、訂正後の請求項３の記載を引用するから、特許法第１２０条の５第２項ただし書第４号に規定する他の請求項の記載を引用する請求項の記載を当該他の請求項の記載を引用しないものとすることを目的とするものである。
　　
（イ）実質上特許請求の範囲を拡張し、又は変更する訂正ではないこと
　上記（ア）のとおり、訂正事項２は、訂正前の請求項３を他の請求項の記載を引用しないものとする訂正であり、カテゴリーや対象、目的を変更するものではないから、実質上特許請求の範囲を拡張し、又は変更するものには該当せず、特許法第１２０条の５第９項で準用する特許法第１２６条第６項の規定に適合するものである。
　訂正事項２は、訂正前の請求項３の記載を直接的に引用する訂正前の請求項４の記載についても実質的に訂正するものであるが、上記のとおり、訂正後の請求項３の記載は、訂正前の請求項３との関係で特許請求の範囲を実質的に拡張し、又は変更するものではない。
　また、訂正事項２は、訂正前の請求項３の記載以外に、訂正前の請求項４の記載について何ら訂正するものではなく、訂正後の請求項４に係る発明のカテゴリーや対象、目的を変更するものではない。
　したがって、訂正事項２は、訂正前の請求項３との関係で、実質上特許請求の範囲を拡張し、又は変更する訂正ではなく、特許法第１２０条の５第９項で準用する特許法第１２６条第６項の規定に適合するものである。
　　
（ウ）願書に添付した明細書、特許請求の範囲又は図面に記載した事項の範囲内の訂正であること
　上記（ア）のとおり、訂正事項２は、訂正前の請求項３を他の請求項の記載を引用しないものとする訂正であるから、訂正事項２は、願書に添付した明細書、特許請求の範囲又は図面に記載した事項の範囲内の訂正であり、特許法第１２０条の５第９項で準用する特許法第１２６条第５項の規定に適合するものである。
　　
（１−３）請求項８〜９に係る訂正
ア　訂正事項３
（ア）訂正の目的について
　訂正事項３は、訂正前の請求項８を他の請求項の記載を引用しないものとする訂正であるから、特許法第１２０条の５第２項ただし書第４号に規定する他の請求項の記載を引用する請求項の記載を当該他の請求項の記載を引用しないものとすることを目的とするものである。
　同様に、訂正後の請求項９は、訂正後の請求項８の記載を引用するから、特許法第１２０条の５第２項ただし書第４号に規定する他の請求項の記載を引用する請求項の記載を当該他の請求項の記載を引用しないものとすることを目的とするものである。
　　
（イ）実質上特許請求の範囲を拡張し、又は変更する訂正ではないこと
　上記（ア）のとおり、訂正事項３は、訂正前の請求項８を他の請求項の記載を引用しないものとする訂正であり、カテゴリーや対象、目的を変更するものではないから、実質上特許請求の範囲を拡張し、又は変更するものには該当せず、特許法第１２０条の５第９項で準用する特許法第１２６条第６項の規定に適合するものである。
　訂正事項３は、訂正前の請求項８の記載を直接的に引用する訂正前の請求項９の記載についても実質的に訂正するものであるが、上記のとおり、訂正後の請求項８の記載は、訂正前の請求項８との関係で特許請求の範囲を実質的に拡張し、又は変更するものではない。
　また、訂正事項３は、訂正前の請求項８の記載以外に、訂正前の請求項９の記載について何ら訂正するものではなく、訂正後の請求項９に係る発明のカテゴリーや対象、目的を変更するものではない。
　したがって、訂正事項３は、訂正前の請求項８との関係で、実質上特許請求の範囲を拡張し、又は変更する訂正ではなく、特許法第１２０条の５第９項で準用する特許法第１２６条第６項の規定に適合するものである。
　　
（ウ）願書に添付した明細書、特許請求の範囲又は図面に記載した事項の範囲内の訂正であること
　上記（ア）のとおり、訂正事項３は、訂正前の請求項８を他の請求項の記載を引用しないものとする訂正であるから、訂正事項３は、願書に添付した明細書、特許請求の範囲又は図面に記載した事項の範囲内の訂正であり、特許法第１２０条の５第９項で準用する特許法第１２６条第５項の規定に適合するものである。
　　
（１−４）請求項１０に係る訂正
ア　訂正事項４
（ア）訂正の目的について
　訂正事項４は、訂正前の請求項１０を他の請求項の記載を引用しないものとする訂正であるから、特許法第１２０条の５第２項ただし書第４号に規定する他の請求項の記載を引用する請求項の記載を当該他の請求項の記載を引用しないものとすることを目的とするものである。
　　
（イ）実質上特許請求の範囲を拡張し、又は変更する訂正ではないこと
　上記（ア）のとおり、訂正事項４は、訂正前の請求項１０を他の請求項の記載を引用しないものとする訂正であり、カテゴリーや対象、目的を変更するものではないから、実質上特許請求の範囲を拡張し、又は変更するものには該当せず、特許法第１２０条の５第９項で準用する特許法第１２６条第６項の規定に適合するものである。
　　
（ウ）願書に添付した明細書、特許請求の範囲又は図面に記載した事項の範囲内の訂正であること
　上記（ア）のとおり、訂正事項４は、訂正前の請求項１０を他の請求項の記載を引用しないものとする訂正であるから、訂正事項４は、願書に添付した明細書、特許請求の範囲又は図面に記載した事項の範囲内の訂正であり、特許法第１２０条の５第９項で準用する特許法第１２６条第５項の規定に適合するものである。
　　
（１−５）一群の請求項
　訂正前の請求項１〜１０は訂正前の請求項１を直接的又は間接的に引用するから、訂正前の請求項１〜１０は一群の請求項である。
　上記訂正事項１−１〜訂正事項４は、一群の請求項に対して請求されたものであるから、特許法第１２０条の５第４項の規定に適合する。
　　
（２−１）訂正事項１１〜１２に係る訂正
ア　訂正事項５−１
（ア）訂正の目的について
　訂正事項５−１は、訂正前の請求項１１の「前記逆方向ストリーム」を限定しているものと認められる。
　したがって、訂正事項５−１は、特許法第１２０条の５第２項ただし書第１号に規定する特許請求の範囲の減縮を目的とするものである。
　同様に、訂正後の請求項１２は、訂正後の請求項１１の記載を引用することにより、訂正後の請求項１２に係る発明をより具体的に特定し、更に限定するものであるため、特許法第１２０条の５第２項ただし書第１号に規定する特許請求の範囲の減縮を目的とするものである。
　　
（イ）実質上特許請求の範囲を拡張し、又は変更する訂正ではないこと
　上記（ア）のとおり、訂正事項５−１は、発明特定事項を限定的に減縮するものであり、カテゴリーや対象、目的を変更するものではないから、実質上特許請求の範囲を拡張し、又は変更するものには該当せず、特許法第１２０条の５第９項で準用する特許法第１２６条第６項の規定に適合するものである。
　訂正事項５−１は、訂正前の請求項１の記載を直接的に引用する訂正前の請求項１２の記載についても実質的に訂正するものであるが、上記のとおり、訂正後の請求項１１の記載は、訂正前の請求項１１との関係で特許請求の範囲を実質的に拡張し、又は変更するものではない。
　また、訂正事項５−１は、訂正前の請求項１の記載以外に、訂正前の請求項１２の記載について何ら訂正するものではなく、訂正後の請求項１２に係る発明のカテゴリーや対象、目的を変更するものではない。
　したがって、訂正事項５−１は、訂正前の請求項１２との関係で、実質上特許請求の範囲を拡張し、又は変更する訂正ではなく、特許法第１２０条の５第９項で準用する特許法第１２６条第６項の規定に適合するものである。
　　
（ウ）願書に添付した明細書、特許請求の範囲又は図面に記載した事項の範囲内の訂正であること
　願書に添付した明細書の段落【０００６】には、
「クライアントアプリケーション（本明細書では「特殊再生クライアント」と称される場合がある）は、ユーザ機器上に実装される。ユーザがストリームの視聴を開始すると、クライアントは、ユーザが、バッファを介して、ストリームの視聴を開始した時点に巻き戻しできるように、視聴されている映像のキャッシュを開始する。ユーザがアクセスする前に開始された（例えば、自動的に、またはユーザ要求に応じて）映像にユーザがアクセスすると同時に、またはアクセスした後に、クライアントは、サーバによってキャッシュまたは記録された映像のコピーから、サーバによって生成された逆方向ストリームをサーバから受信する。
逆方向ストリームは、ユーザが最初に映像にアクセスした時点から逆方向に、完全映像（例えば、任意のフレームをスキップせずに）をストリーム配信する。
と記載されている（下線は当審で付与した。）。
　　
　段落【０００６】の記載によると、訂正事項５−１は、願書に添付した明細書、特許請求の範囲又は図面に記載した事項の範囲内である。
　したがって、訂正事項５−１は、願書に添付した明細書、特許請求の範囲又は図面に記載した事項の範囲内の訂正であり、特許法第１２０条の５第９項で準用する特許法第１２６条第５項の規定に適合するものである。
　　
イ　訂正事項５−２
（ア）訂正の目的について
　訂正事項５−２は、訂正前の請求項１１の「前記逆方向ストリームの内容を逆方向バッファ内にキャッシュする」をさらに限定しているものと認められる。
　したがって、訂正事項５−２は、特許法第１２０条の５第２項ただし書第１号に規定する特許請求の範囲の減縮を目的とするものである。
　同様に、訂正後の請求項１２は、訂正後の請求項１１の記載を引用することにより、訂正後の請求項１２に係る発明をより具体的に特定し、更に限定するものであるため、特許法第１２０条の５第２項ただし書第１号に規定する特許請求の範囲の減縮を目的とするものである。
　　
（イ）実質上特許請求の範囲を拡張し、又は変更する訂正ではないこと
　上記（ア）のとおり、訂正事項５−２は、発明特定事項を限定的に減縮するものであり、カテゴリーや対象、目的を変更するものではないから、実質上特許請求の範囲を拡張し、又は変更するものには該当せず、特許法第１２０条の５第９項で準用する特許法第１２６条第６項の規定に適合するものである。
　訂正事項５−２は、訂正前の請求項１１の記載を直接的に引用する訂正前の請求項１２の記載についても実質的に訂正するものであるが、上記のとおり、訂正後の請求項１１の記載は、訂正前の請求項１１との関係で特許請求の範囲を実質的に拡張し、又は変更するものではない。
　また、訂正事項５−２は、訂正前の請求項１１の記載以外に、訂正前の請求項１２の記載について何ら訂正するものではなく、訂正後の請求項１２に係る発明のカテゴリーや対象、目的を変更するものではない。
　したがって、訂正事項５−２は、訂正前の請求項１２との関係で、実質上特許請求の範囲を拡張し、又は変更する訂正ではなく、特許法第１２０条の５第９項で準用する特許法第１２６条第６項の規定に適合するものである。
　　
（ウ）願書に添付した明細書、特許請求の範囲又は図面に記載した事項の範囲内の訂正であること
　願書に添付した明細書の段落【００３７】には、
「いくつかの実施形態では、特殊再生クライアントは、ユーザが所与の時間映像を視聴するまで、逆方向および／または順方向ストリームを要求または受信しない。記録装置１１８が、所与の時間の間にリアルタイムストリームをキャッシュした場合（例えば、リアルタイムバッファ内に）、
特殊再生クライアントは、ユーザが映像の視聴を開始した時に、逆方向ストリームを開始し
と記載されている（下線は当審で付与した。）。
　　
　段落【００３７】の記載によると、訂正事項５−２は、願書に添付した明細書、特許請求の範囲又は図面に記載した事項の範囲内である。
　したがって、訂正事項５−２は、願書に添付した明細書、特許請求の範囲又は図面に記載した事項の範囲内の訂正であり、特許法第１２０条の５第９項で準用する特許法第１２６条第５項の規定に適合するものである。
　　
ウ　訂正事項５−３
（ア）訂正の目的について
　訂正事項５−３は、訂正前の請求項１１の「非オンデマンド映像を巻き戻すためのシステム」をさらに限定しているものと認められる。
　したがって、訂正事項５−３は、特許法第１２０条の５第２項ただし書第１号に規定する特許請求の範囲の減縮を目的とするものである。
　同様に、訂正後の請求項１２は、訂正後の請求項１１の記載を引用することにより、訂正後の請求項１２に係る発明をより具体的に特定し、更に限定するものであるため、特許法第１２０条の５第２項ただし書第１号に規定する特許請求の範囲の減縮を目的とするものである。
　　
（イ）実質上特許請求の範囲を拡張し、又は変更する訂正ではないこと
　上記（ア）のとおり、訂正事項５−３は、「非オンデマンド映像を巻き戻すためのシステム」を限定的に減縮するものであり、カテゴリーや対象、目的を変更するものではないから、実質上特許請求の範囲を拡張し、又は変更するものには該当せず、特許法第１２０条の５第９項で準用する特許法第１２６条第６項の規定に適合するものである。
　訂正事項５−３は、訂正前の請求項１１の記載を直接的に引用する訂正前の請求項１２の記載についても実質的に訂正するものであるが、上記のとおり、訂正後の請求項１１の記載は、訂正前の請求項１１との関係で特許請求の範囲を実質的に拡張し、又は変更するものではない。
　また、訂正事項５−３は、訂正前の請求項１１の記載以外に、訂正前の請求項１２の記載について何ら訂正するものではなく、訂正後の請求項１２に係る発明のカテゴリーや対象、目的を変更するものではない。
　したがって、訂正事項５−３は、訂正前の請求項１２との関係で、実質上特許請求の範囲を拡張し、又は変更する訂正ではなく、特許法第１２０条の５第９項で準用する特許法第１２６条第６項の規定に適合するものである。
　
（ウ）願書に添付した明細書、特許請求の範囲又は図面に記載した事項の範囲内の訂正であること
　願書に添付した明細書の段落【００４２】、【００４３】、【００６４】の記載、図６によると、訂正事項５−３は、願書に添付した明細書、特許請求の範囲又は図面に記載した事項の範囲内である。
　したがって、訂正事項５−３は、願書に添付した明細書、特許請求の範囲又は図面に記載した事項の範囲内の訂正であり、特許法第１２０条の５第９項で準用する特許法第１２６条第５項の規定に適合するものである。
　　
（２−２）請求項１３〜１７に係る訂正
ア　訂正事項６−１
（ア）訂正の目的について
　訂正事項６−１は、訂正前の請求項１３を他の請求項の記載を引用しないものとする訂正であるから、特許法第１２０条の５第２項ただし書第４号に規定する他の請求項の記載を引用する請求項の記載を当該他の請求項の記載を引用しないものとすることを目的とするものである。
　同様に、訂正後の請求項１４は、訂正後の請求項１３の記載を引用するから、特許法第１２０条の５第２項ただし書第４号に規定する他の請求項の記載を引用する請求項の記載を当該他の請求項の記載を引用しないものとすることを目的とするものである。
　　
（イ）実質上特許請求の範囲を拡張し、又は変更する訂正ではないこと
　上記（ア）のとおり、訂正事項６−１は、訂正前の請求項１３を他の請求項の記載を引用しないものとする訂正であり、カテゴリーや対象、目的を変更するものではないから、実質上特許請求の範囲を拡張し、又は変更するものには該当せず、特許法第１２０条の５第９項で準用する特許法第１２６条第６項の規定に適合するものである。
　訂正事項６−１は、訂正前の請求項１３の記載を直接的に引用する訂正前の請求項１４の記載についても実質的に訂正するものであるが、上記のとおり、訂正後の請求項１３の記載は、訂正前の請求項１３との関係で特許請求の範囲を実質的に拡張し、又は変更するものではない。
　また、訂正事項６−１は、訂正前の請求項１３の記載以外に、訂正前の請求項１４の記載について何ら訂正するものではなく、訂正後の請求項１４に係る発明のカテゴリーや対象、目的を変更するものではない。
　したがって、訂正事項６−１は、訂正前の請求項１４との関係で、実質上特許請求の範囲を拡張し、又は変更する訂正ではなく、特許法第１２０条の５第９項で準用する特許法第１２６条第６項の規定に適合するものである。
　　
（ウ）願書に添付した明細書、特許請求の範囲又は図面に記載した事項の範囲内の訂正であること
　上記（ア）のとおり、訂正事項６−１は、訂正前の請求項１３を他の請求項の記載を引用しないものとする訂正であるから、訂正事項６−１は、願書に添付した明細書、特許請求の範囲又は図面に記載した事項の範囲内の訂正であり、特許法第１２０条の５第９項で準用する特許法第１２６条第５項の規定に適合するものである。
　　
イ　訂正事項６−２
（ア）訂正の目的について
　訂正事項６−２は、請求項１５の引用する請求項を請求項１３と訂正することにより、請求項１５に係る発明を限定するものである。具体的には、訂正前の請求項１５（訂正前の請求項１１＋１５）を訂正後の請求項１５（訂正前の請求項１１＋１３＋１５）とする訂正である。
　したがって、訂正事項６−２は、特許法第１２０条の５第２項ただし書第１号に規定する特許請求の範囲の減縮を目的とするものである。
　　
（イ）実質上特許請求の範囲を拡張し、又は変更する訂正ではないこと
　上記（ア）のとおり、訂正事項６−２は、請求項１５に係る発明をを限定的に減縮するものであり、カテゴリーや対象、目的を変更するものではないから、実質上特許請求の範囲を拡張し、又は変更するものには該当せず、特許法第１２０条の５第９項で準用する特許法第１２６条第６項の規定に適合するものである。
　　
（ウ）願書に添付した明細書、特許請求の範囲又は図面に記載した事項の範囲内の訂正であること
　願書に添付した明細書の段落【００４２】、【００４３】の記載、図６によると、訂正事項６−２は、願書に添付した明細書、特許請求の範囲又は図面に記載した事項の範囲内である。
　したがって、訂正事項６−２は、願書に添付した明細書、特許請求の範囲又は図面に記載した事項の範囲内の訂正であり、特許法第１２０条の５第９項で準用する特許法第１２６条第５項の規定に適合するものである。
　　
ウ　訂正事項６−３
（ア）訂正の目的について
　訂正事項６−３は、請求項１６の引用する請求項を請求項１３と訂正することにより、請求項１６に係る発明を限定するものである。具体的には、訂正前の請求項１６（訂正前の請求項１１＋１６）を訂正後の請求項１６（訂正前の請求項１１＋１３＋１６）とする訂正である。
　したがって、訂正事項６−３は、特許法第１２０条の５第２項ただし書第１号に規定する特許請求の範囲の減縮を目的とするものである。
　同様に、訂正後の請求項１７は、訂正後の請求項１６の記載を引用することにより、訂正後の請求項１６に係る発明をより具体的に特定し、更に限定するものであるため、特許法第１２０条の５第２項ただし書第１号に規定する特許請求の範囲の減縮を目的とするものである。
　　
（イ）実質上特許請求の範囲を拡張し、又は変更する訂正ではないこと
　上記（ア）のとおり、訂正事項６−３は、請求項１６に係る発明を限定的に減縮するものであり、カテゴリーや対象、目的を変更するものではないから、実質上特許請求の範囲を拡張し、又は変更するものには該当せず、特許法第１２０条の５第９項で準用する特許法第１２６条第６項の規定に適合するものである。
　訂正事項６−３は、訂正前の請求項１６の記載を直接的に引用する訂正前の請求項１７の記載についても実質的に訂正するものであるが、上記のとおり、訂正後の請求項１６の記載は、訂正前の請求項１６との関係で特許請求の範囲を実質的に拡張し、又は変更するものではない。
　また、訂正事項６−３は、訂正前の請求項１６の記載以外に、訂正前の請求項１７の記載について何ら訂正するものではなく、訂正後の請求項１７に係る発明のカテゴリーや対象、目的を変更するものではない。
　したがって、訂正事項６−３は、訂正前の請求項１７との関係で、実質上特許請求の範囲を拡張し、又は変更する訂正ではなく、特許法第１２０条の５第９項で準用する特許法第１２６条第６項の規定に適合するものである。
　　
（ウ）願書に添付した明細書、特許請求の範囲又は図面に記載した事項の範囲内の訂正であること
　願書に添付した明細書の段落【００４２】、【００４３】の記載、図６によると、訂正事項６−３は、願書に添付した明細書、特許請求の範囲又は図面に記載した事項の範囲内である。
　したがって、訂正事項６−３は、願書に添付した明細書、特許請求の範囲又は図面に記載した事項の範囲内の訂正であり、特許法第１２０条の５第９項で準用する特許法第１２６条第５項の規定に適合するものである。
　　
（２−３）請求項１８〜１９に係る訂正
ア　訂正事項７
（ア）訂正の目的について
　訂正事項７は、訂正前の請求項１８を他の請求項の記載を引用しないものとする訂正であるから、特許法第１２０条の５第２項ただし書第４号に規定する他の請求項の記載を引用する請求項の記載を当該他の請求項の記載を引用しないものとすることを目的とするものである。
　同様に、訂正後の請求項１９は、訂正後の請求項１８の記載を引用するから、特許法第１２０条の５第２項ただし書第４号に規定する他の請求項の記載を引用する請求項の記載を当該他の請求項の記載を引用しないものとすることを目的とするものである。
　　
（イ）実質上特許請求の範囲を拡張し、又は変更する訂正ではないこと
　上記（ア）のとおり、訂正事項７は、訂正前の請求項１８を他の請求項の記載を引用しないものとする訂正であり、カテゴリーや対象、目的を変更するものではないから、実質上特許請求の範囲を拡張し、又は変更するものには該当せず、特許法第１２０条の５第９項で準用する特許法第１２６条第６項の規定に適合するものである。
　訂正事項７は、訂正前の請求項１８の記載を直接的に引用する訂正前の請求項１９の記載についても実質的に訂正するものであるが、上記のとおり、訂正後の請求項１８の記載は、訂正前の請求項１８との関係で特許請求の範囲を実質的に拡張し、又は変更するものではない。
　また、訂正事項７は、訂正前の請求項１８の記載以外に、訂正前の請求項１９の記載について何ら訂正するものではなく、訂正後の請求項１９に係る発明のカテゴリーや対象、目的を変更するものではない。
　したがって、訂正事項７は、訂正前の請求項１９との関係で、実質上特許請求の範囲を拡張し、又は変更する訂正ではなく、特許法第１２０条の５第９項で準用する特許法第１２６条第６項の規定に適合するものである。
　　
（ウ）願書に添付した明細書、特許請求の範囲又は図面に記載した事項の範囲内の訂正であること
　上記（ア）のとおり、訂正事項７は、訂正前の請求項１８を他の請求項の記載を引用しないものとする訂正であるから、訂正事項７は、願書に添付した明細書、特許請求の範囲又は図面に記載した事項の範囲内の訂正であり、特許法第１２０条の５第９項で準用する特許法第１２６条第５項の規定に適合するものである。
　　
（２−４）請求項２０に係る訂正
ア　訂正事項８
（ア）訂正の目的について
　訂正事項８は、訂正前の請求項２０を他の請求項の記載を引用しないものとする訂正であるから、特許法第１２０条の５第２項ただし書第４号に規定する他の請求項の記載を引用する請求項の記載を当該他の請求項の記載を引用しないものとすることを目的とするものである。
　　
（イ）実質上特許請求の範囲を拡張し、又は変更する訂正ではないこと
　上記（ア）のとおり、訂正事項８は、訂正前の請求項２０を他の請求項の記載を引用しないものとする訂正であり、カテゴリーや対象、目的を変更するものではないから、実質上特許請求の範囲を拡張し、又は変更するものには該当せず、特許法第１２０条の５第９項で準用する特許法第１２６条第６項の規定に適合するものである。
　　
（ウ）願書に添付した明細書、特許請求の範囲又は図面に記載した事項の範囲内の訂正であること
　上記（ア）のとおり、訂正事項８は、訂正前の請求項２０を他の請求項の記載を引用しないものとする訂正であるから、訂正事項８は、願書に添付した明細書、特許請求の範囲又は図面に記載した事項の範囲内の訂正であり、特許法第１２０条の５第９項で準用する特許法第１２６条第５項の規定に適合するものである。
　　
（２−５）一群の請求項
　訂正前の請求項１１〜２０は訂正前の請求項１１を直接的又は間接的に引用するから、訂正前の請求項１１〜２０は一群の請求項である。
　上記訂正事項２−１〜訂正事項８は、一群の請求項に対して請求されたものであるから、特許法第１２０条の５第４項の規定に適合する。
　　
（３）異議申立人の主張について
　異議申立人は、令和元年５月２２日付け意見書において、下記の点は、願書に添付した明細書、特許請求の範囲又は図面に記載された事項の範囲内においてしたものでない旨主張している。
ア　「
前記映像が伝送されている間に
イ　「
前記方法は、
　
ユーザの巻き戻し要求を受信することと、
　
前記巻き戻し要求に応答して、前記転送制御バーに沿って逆方向に移動する逆方向カーソルを表示することと、
　
前記巻き戻し要求に続いて、前記ユーザから再生要求を受信したことに応答して、前記逆方向バッファ内にキャッシュされた前記逆方向ストリームを用いて、前記逆方向カーソルの現在の位置から前記映像を再生することと
　
をさらに含む
　　
　しかしながら、上記アについては、上記２（１−１）イ（ウ）、上記イについては、上記２（１−１）ウ（ウ）のとおりであり、異議申立人の主張は採用できない。
　　
（４）小括
　以上のとおりであるから、本件訂正請求による訂正は特許法第１２０条の５第２項ただし書第１号、第４号に掲げる事項を目的とするものであり、かつ、同条第４項、及び、同条第９項において準用する同法第１２６条第５項及び第６項の規定に適合するので、訂正後の請求項１〜２０について訂正することを認める。
　　
第３　特許異議の申立てについて
１　本件特許発明
　本件訂正請求により訂正された訂正請求項１〜２０（以下「本件特許発明１」〜「本件特許発明２０」という。）は、その特許請求の範囲の請求項１〜２０に記載された次の事項により特定されるとおりのものである。
　ただし、（１Ａ）〜（２０Ｉ）は当審で付与した。以下各構成要件を「構成要件１Ａ」〜「構成要件２０Ｉ」という。
　　
（本件特許発明１）
（１Ａ）非オンデマンド映像を巻き戻すための方法であって、前記方法は、
（１Ｂ）映像伝送の開始点よりも後の第１のアクセスポイントにおいて前記映像にアクセスすることと、
（１Ｃ）前記第１のアクセスポイントよりも前に伝送された前記映像の内容を含む逆方向ストリームを受信することであって、前記逆方向ストリームは、前記映像のフレームをスキップすることなく実質的に連続する逆の順番で第１のアクセスポイントから前記映像の始まりに向かって前記映像を含む、ことと、
（１Ｄ）前記映像が伝送されている間に前記逆方向ストリームの内容を逆方向バッファ内にキャッシュすることと、
（１Ｅ）逆方向バーを含む転送制御バーを表示することと
　を含み、
（１Ｆ）前記逆方向バーは、前記第１のアクセスポイントにおいて始まり、逆方向インジケータにおいて終わり、
（１Ｇ）前記逆方向インジケータは、前記逆方向ストリームの内容が前記逆方向バッファ内にキャッシュされるにつれて、前記第１のアクセスポイントから前記映像の始まりに向かって逆方向に移動し、
（１Ｈ）前記逆方向インジケータの位置は、前記映像の内容がアクセス可能な最も早いポイントを示し、
（１Ａ）前記方法は、
（１Ｉ）ユーザの巻き戻し要求を受信することと、
（１Ｊ）前記巻き戻し要求に応答して、前記転送制御バーに沿って逆方向に移動する逆方向カーソルを表示することと、
（１Ｋ）前記巻き戻し要求に続いて、前記ユーザから再生要求を受信したことに応答して、前記逆方向バッファ内にキャッシュされた前記逆方向ストリームを用いて、前記逆方向カーソルの現在の位置から前記映像を再生することと
（１Ａ）をさらに含む、方法。
　　
（本件特許発明２）
（２Ａ）前記逆方向インジケータよりも早い前記映像の内容は、アクセス不可能である、
（２Ｂ）請求項１に記載の方法。
　　
（本件特許発明３）
（３Ａ）非オンデマンド映像を巻き戻すための方法であって、前記方法は、
（３Ｂ）映像伝送の開始点よりも後の第１のアクセスポイントにおいて前記映像にアクセスすることと、
（３Ｃ）前記第１のアクセスポイントよりも前に伝送された前記映像の内容を含む逆方向ストリームを受信することであって、前記逆方向ストリームは、実質的に連続する逆の順番で第１のアクセスポイントから前記映像の始まりに向かって前記映像を含む、ことと、
（３Ｄ）前記逆方向ストリームの内容を逆方向バッファ内にキャッシュすることと、
（３Ｅ）逆方向バーを含む転送制御バーを表示することと
を含み、
（３Ｆ）前記逆方向バーは、前記第１のアクセスポイントにおいて始まり、逆方向インジケータにおいて終わり、
（３Ｇ）前記逆方向インジケータは、前記逆方向ストリームの内容が前記逆方向バッファ内にキャッシュされるにつれて、前記第１のアクセスポイントから前記映像の始まりに向かって逆方向に移動し、
（３Ｈ）前記逆方向インジケータの位置は、前記映像の内容がアクセス可能な最も早いポイントを示し、
（３Ｉ）前記方法は、前記逆方向インジケータの現在の位置に対応する逆方向プレビュー画像を表示すること
（３Ａ）をさらに含む、方法。
　　
（本件特許発明４）
（４Ａ）前記逆方向プレビュー画像のユーザ選択を受信することと、
（４Ｂ）前記ユーザ選択を受信したことに応答して、前記選択された逆方向プレビュー画像に対応する前記逆方向インジケータの前記現在の位置から前記映像を再生することと
（４Ｃ）をさらに含む、請求項３に記載の方法。
　　
（本件特許発明５）
（５Ａ）前記転送制御バーは、ユーザに対して現在の再生位置を示す現在のインジケータをさらに含む、
（５Ｂ）請求項１に記載の方法。
　　
（本件特許発明６）
（６Ａ）まだ伝送されていない前記映像の内容を含む順方向ストリームを受信することであって、前記順方向ストリームは、前記映像が最初にアクセスされた時間の後から前記映像の終わりに向かって順方向に前記映像をストリームし、前記順方向ストリームは、リアルタイムよりも速く伝送される、ことと、
（６Ｂ）前記順方向ストリームの内容を順方向バッファ内にキャッシュすることと
（６Ｃ）をさらに含む、請求項１に記載の方法。
　　
（本件特許発明７）
（７Ａ）前記転送制御バーは、順方向バーをさらに含み、
（７Ｂ）前記順方向バーは、前記第１のアクセスポイントにおいて始まり、順方向インジケータにおいて終わり、
（７Ｃ）前記順方向インジケータは、前記順方向ストリームの内容が前記順方向バッファ内にキャッシュされるにつれて、前記第１のアクセスポイントから前記映像の終わりに向かって順方向に移動し、
（７Ｄ）前記順方向インジケータの位置は、前記映像の内容がアクセス可能な最も遅いポイントを示す、
（７Ｅ）請求項６に記載の方法。
　　
（本件特許発明８）
（８Ａ）非オンデマンド映像を巻き戻すための方法であって、前記方法は、
（８Ｂ）映像伝送の開始点よりも後の第１のアクセスポイントにおいて前記映像にアクセスすることと、
（８Ｃ）前記第１のアクセスポイントよりも前に伝送された前記映像の内容を含む逆方向ストリームを受信することであって、前記逆方向ストリームは、実質的に連続する逆の順番で第１のアクセスポイントから前記映像の始まりに向かって前記映像を含む、ことと、
（８Ｄ）前記逆方向ストリームの内容を逆方向バッファ内にキャッシュすることと、
（８Ｅ）逆方向バーを含む転送制御バーを表示することと
　を含み、
（８Ｆ）前記逆方向バーは、前記第１のアクセスポイントにおいて始まり、逆方向インジケータにおいて終わり、
（８Ｇ）前記逆方向インジケータは、前記逆方向ストリームの内容が前記逆方向バッファ内にキャッシュされるにつれて、前記第１のアクセスポイントから前記映像の始まりに向かって逆方向に移動し、
（８Ｈ）前記逆方向インジケータの位置は、前記映像の内容がアクセス可能な最も早いポイントを示し、
（８Ａ）前記方法は、
（８Ｉ）まだ伝送されていない前記映像の内容を含む順方向ストリームを受信することであって、前記順方向ストリームは、前記映像が最初にアクセスされた時間の後から前記映像の終わりに向かって順方向に前記映像をストリームし、前記順方向ストリームは、リアルタイムよりも速く伝送される、ことと、
（８Ｊ）前記順方向ストリームの内容を順方向バッファ内にキャッシュすることと
　をさらに含み、
（８Ｋ）前記転送制御バーは、順方向バーをさらに含み、
（８Ｌ）前記順方向バーは、前記第１のアクセスポイントにおいて始まり、順方向インジケータにおいて終わり、
（８Ｍ）前記順方向インジケータは、前記順方向ストリームの内容が前記順方向バッファ内にキャッシュされるにつれて、前記第１のアクセスポイントから前記映像の終わりに向かって順方向に移動し、
（８Ｎ）前記順方向インジケータの位置は、前記映像の内容がアクセス可能な最も遅いポイントを示し、
（８Ｏ）前記方法は、前記順方向インジケータの現在の位置に対応する順方向プレビュー画像を表示すること
（８Ａ）をさらに含む、方法。
　　
（本件特許発明９）
（９Ａ）前記順方向プレビュー画像のユーザ選択を受信することと、
（９Ｂ）前記ユーザ選択を受信したことに応答して、前記選択された順方向プレビュー画像に対応する前記順方向インジケータの前記現在の位置から前記映像を再生することと
（９Ｃ）をさらに含む、請求項８に記載の方法。
（本件特許発明１０）
（１０Ａ）非オンデマンド映像を巻き戻すための方法であって、前記方法は、
（１０Ｂ）映像伝送の開始点よりも後の第１のアクセスポイントにおいて前記映像にアクセスすることと、
（１０Ｃ）前記第１のアクセスポイントよりも前に伝送された前記映像の内容を含む逆方向ストリームを受信することであって、前記逆方向ストリームは、実質的に連続する逆の順番で第１のアクセスポイントから前記映像の始まりに向かって前記映像を含む、ことと、
（１０Ｄ）前記逆方向ストリームの内容を逆方向バッファ内にキャッシュすることと、
（１０Ｅ）逆方向バーを含む転送制御バーを表示することと
　を含み、
（１０Ｆ）前記逆方向バーは、前記第１のアクセスポイントにおいて始まり、逆方向インジケータにおいて終わり、
（１０Ｇ）前記逆方向インジケータは、前記逆方向ストリームの内容が前記逆方向バッファ内にキャッシュされるにつれて、前記第１のアクセスポイントから前記映像の始まりに向かって逆方向に移動し、
（１０Ｈ）前記逆方向インジケータの位置は、前記映像の内容がアクセス可能な最も早いポイントを示し、
（１０Ｉ）前記方法は、複数の逆方向インジケータと、前記複数の逆方向インジケータのうちの個々のいくつかに関連付けられた複数の逆方向プレビュー画像とを表示すること
（１０Ａ）をさらに含む、方法。
　　
（本件特許発明１１）
（１１Ａ）非オンデマンド映像を巻き戻すためのシステムであって、前記システムは、
（１１Ｂ）映像伝送の開始点よりも後の第１のアクセスポイントにおいて前記映像にアクセスする手段と、
（１１Ｃ）前記第１のアクセスポイントよりも前に伝送された前記映像の内容を含む逆方向ストリームを受信する手段であって、前記逆方向ストリームは、前記映像のフレームをスキップすることなく実質的に連続する逆の順番で第１のアクセスポイントから前記映像の始まりに向かって前記映像を含む、手段と、
（１１Ｄ）前記映像が伝送されている間に前記逆方向ストリームの内容を逆方向バッファ内にキャッシュする手段と、
（１１Ｅ）逆方向バーを含む転送制御バーを表示する手段と
　を含み、
（１１Ｆ）前記逆方向バーは、前記第１のアクセスポイントにおいて始まり、逆方向インジケータにおいて終わり、
（１１Ｇ）前記逆方向インジケータは、前記逆方向ストリームの内容が前記逆方向バッファ内にキャッシュされるにつれて、前記第１のアクセスポイントから前記映像の始まりに向かって逆方向に移動し、
（１１Ｈ）前記逆方向インジケータの位置は、前記映像の内容がアクセス可能な最も早いポイントを示し、
（１１Ａ）前記システムは、
（１１Ｉ）ユーザの巻き戻し要求を受信する手段と、
（１１Ｊ）前記巻き戻し要求に応答して、前記転送制御バーに沿って逆方向に移動する逆方向カーソルを表示する手段と、
（１１Ｋ）前記巻き戻し要求に続いて、前記ユーザから再生要求を受信したことに応答して、前記逆方向バッファ内にキャッシュされた前記逆方向ストリームを用いて、前記逆方向カーソルの現在の位置から前記映像を再生する手段と
（１１Ａ）をさらに含む、システム。
　　
（本件特許発明１２）
（１２Ａ）前記逆方向インジケータよりも早い前記映像の内容は、アクセス不可能である、
（１２Ｂ）請求項１１に記載のシステム。
　　
（本件特許発明１３）
（１３Ａ）非オンデマンド映像を巻き戻すためのシステムであって、前記システムは、
（１３Ｂ）映像伝送の開始点よりも後の第１のアクセスポイントにおいて前記映像にアクセスする手段と、
（１３Ｃ）前記第１のアクセスポイントよりも前に伝送された前記映像の内容を含む逆方向ストリームを受信する手段であって、前記逆方向ストリームは、実質的に連続する逆の順番で第１のアクセスポイントから前記映像の始まりに向かって前記映像を含む、手段と、前記逆方向ストリームの内容を逆方向バッファ内にキャッシュする手段と、
（１３Ｄ）逆方向バーを含む転送制御バーを表示する手段と
　を含み、
（１３Ｅ）前記逆方向バーは、前記第１のアクセスポイントにおいて始まり、逆方向インジケータにおいて終わり、
（１３Ｆ）前記逆方向インジケータは、前記逆方向ストリームの内容が前記逆方向バッファ内にキャッシュされるにつれて、前記第１のアクセスポイントから前記映像の始まりに向かって逆方向に移動し、
（１３Ｇ）前記逆方向インジケータの位置は、前記映像の内容がアクセス可能な最も早いポイントを示し、
（１３Ｈ）前記システムは、前記逆方向インジケータの現在の位置に対応する逆方向プレビュー画像を表示する手段
（１３Ａ）をさらに含む、システム。
　　
（本件特許発明１４）
（１４Ａ）前記逆方向プレビュー画像のユーザ選択を受信する手段と、
（１４Ｂ）前記ユーザ選択を受信したことに応答して、前記選択された逆方向プレビュー画像に対応する前記逆方向インジケータの前記現在の位憤から前記映像を再生する手段と
（１４Ｃ）をさらに含む、請求項１３に記載のシステム。
　　
（本件特許発明１５）
（１５Ａ）前記転送制御バーは、ユーザに対して現在の再生位置を示す現在のインジケータをさらに含む、
（１５Ｂ）請求項１３に記載のシステム。
　　
（本件特許発明１６）
（１６Ａ）まだ伝送されていない前記映像の内容を含む順方向ストリームを受信する手段であって、前記順方向ストリームは、前記映像が最初にアクセスされた時間の後から前記映像の終わりに向かって順方向に前記映像をストリームし、前記順方向ストリームは、リアルタイムよりも速く伝送される、手段と、
（１６Ｂ）前記順方向ストリームの内容を順方向バッファ内にキャッシュする手段と
（１６Ｃ）をさらに含む、請求項１３に記載のシステム。
　　
（本件特許発明１７）
（１７Ａ）前記転送制御バーは、順方向バーをさらに含み、
（１７Ｂ）前記順方向バーは、前記第１のアクセスポイントにおいて始まり、順方向インジケータにおいて終わり、
（１７Ｃ）前記順方向インジケータは、前記順方向ストリームの内容が前記順方向バッファ内にキャッシュされるにつれて、前記第１のアクセスポイントから前記映像の終わりに向かって順方向に移動し、
（１７Ｄ）前記順方向インジケータの位置は、前記映像の内容がアクセス可能な最も遅いポイントを示す、
（１７Ｅ）請求項１６に記載のシステム。
　　
（本件特許発明１８）
（１８Ａ）非オンデマンド映像を巻き戻すためのシステムであって、前記システムは、
（１８Ｂ）映像伝送の開始点よりも後の第１のアクセスポイントにおいて前記映像にアクセスする手段と、
（１８Ｃ）前記第１のアクセスポイントよりも前に伝送された前記映像の内容を含む逆方向ストリームを受信する手段であって、前記逆方向ストリームは、実質的に連続する逆の順番で第１のアクセスポイントから前記映像の始まりに向かって前記映像を含む、手段と、
（１８Ｄ）前記逆方向ストリームの内容を逆方向バッファ内にキャッシュする手段と、
（１８Ｅ）逆方向バーを含む転送制御バーを表示する手段と
　を含み、
（１８Ｆ）前記逆方向バーは、前記第１のアクセスポイントにおいて始まり、逆方向インジケータにおいて終わり、
（１８Ｇ）前記逆方向インジケータは、前記逆方向ストリームの内容が前記逆方向バッファ内にキャッシュされるにつれて、前記第１のアクセスポイントから前記映像の始まりに向かって逆方向に移動し、
（１８Ｈ）前記逆方向インジケータの位置は、前記映像の内容がアクセス可能な最も早いポイントを示し、
（１８Ａ）前記システムは、
（１８Ｉ）まだ伝送されていない前記映像の内容を含む順方向ストリームを受信する手段であって、前記順方向ストリームは、前記映像が最初にアクセスされた時間の後から前記映像の終わりに向かって順方向に前記映像をストリームし、前記順方向ストリームは、リアルタイムよりも速く伝送される、手段と、
（１８Ｊ）前記順方向ストリームの内容を順方向バッファ内にキャッシュする手段と
　をさらに含み、
（１８Ｋ）前記転送制御バーは、順方向バーをさらに含み、
（１８Ｌ）前記順方向バーは、前記第１のアクセスポイントにおいて始まり、順方向インジケータにおいて終わり、
（１８Ｍ）前記順方向インジケータは、前記順方向ストリームの内容が前記順方向バッファ内にキャッシュされるにつれて、前記第１のアクセスポイントから前記映像の終わりに向かって順方向に移動し、
（１８Ｎ）前記順方向インジケータの位置は、前記映像の内容がアクセス可能な最も遅いポイントを示し、
（１８Ｏ）前記システムは、前記順方向インジケータの現在の位置に対応する順方向プレビュー画像を表示する手段をさらに含む、
（１８Ａ）システム。
　　
（本件特許発明１９）
（１９Ａ）前記順方向プレビュー画像のユーザ選択を受信する手段と、
（１９Ｂ）前記ユーザ選択を受信したことに応答して、前記選択された順方向プレビュー画像に対応する前記順方向インジケータの前記現在の位置から前記映像を再生する手段と
（１９Ｃ）をさらに含む、請求項１８に記載のシステム。
　　
（本件特許発明２０）
（２０Ａ）非オンデマンド映像を巻き戻すためのシステムであって、前記システムは、
（２０Ｂ）映像伝送の開始点よりも後の第１のアクセスポイントにおいて前記映像にアクセスする手段と、
（２０Ｃ）前記第１のアクセスポイントよりも前に伝送された前記映像の内容を含む逆方向ストリームを受信する手段であって、前記逆方向ストリームは、実質的に連続する逆の順番で第１のアクセスポイントから前記映像の始まりに向かって前記映像を含む、手段と、
（２０Ｄ）前記逆方向ストリームの内容を逆方向バッファ内にキャッシュする手段と、
（２０Ｅ）逆方向バーを含む転送制御バーを表示する手段と
　を含み、
（２０Ｆ）前記逆方向バーは、前記第１のアクセスポイントにおいて始まり、逆方向インジケータにおいて終わり、
（２０Ｇ）前記逆方向インジケータは、前記逆方向ストリームの内容が前記逆方向バッファ内にキャッシュされるにつれて、前記第１のアクセスポイントから前記映像の始まりに向かって逆方向に移動し、
（２０Ｈ）前記逆方向インジケータの位置は、前記映像の内容がアクセス可能な最も早いポイントを示し、
（２０Ｉ）前記システムは、複数の逆方向インジケータと、前記複数の逆方向インジケータのうちの個々のいくつかに関連付けられた複数の逆方向プレビュー画像とを表示する手段をさらに含む、
（２０Ａ）システム。
　　
２　取消理由の概要
　訂正前の請求項１、２、５〜７、１１、１２、１５〜１７に係る特許に対して平成３０年１２月２７日付けで特許権者に通知した取消理由（決定の予告）の要旨は、次のとおりである。
　　
　本件特許の請求項１、２、５〜７、１１、１２、１５〜１７に係る発明は、その出願前日本国内または外国において頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　　
　　　　　　　　　　　記
　甲第１号証：米国特許出願公開第２００３／０２０８７６３号明細書
　甲第２号証：米国特許第６８４７７７８号明細書
　　
３　甲各号証の記載事項及び甲各号証に記載された発明
（１）甲第１号証
ア　甲第１号証の記載事項
（ア）「FIG. 1 illustrates 
broadband communications system
interactive program guides
［訳：図１は、番組予約、シーズンパス予約、市場外のプログラミング、番組の特定の加入サービス及び
双方向番組ガイド
広帯域通信システム
　　
（イ）「Processor 109 may also create in real time trick files associated with program 201 as part of the asset which are used to 
perform PVR-like functions (e.g., rewinding and fast-forwarding)
［訳：プロセッサ109はまた、本発明によるプログラム201に
PVR機能(例えば、巻戻し、早送り)を実行する
　　
（ウ）「
While viewing a program, the user may issue a rewind command
terminal 158-1 issues a rewind message to processor 119
This rewind message includes a rewind initiation command, the last I-frame identifier registered by terminal 158-1
After receiving such a rewind message, processor 119 
processor 119
retrieves from the aforementioned asset storage the rewind trick file associated with the program
processor 119
identifies the I-frame in the rewind trick file which either matches or is the closest to that last I-frame.
reads the array of identifiers of the I-frames in the rewind trick file starting from that of the identified I-frame
Processor 119
causes the program material, corresponding to the I-frame identifiers as read, to be retrieved from cache manager 111, and to be transmitted in the transport stream to terminal 158-1
［訳：
番組を見ている間
ユーザは
巻戻しコマンドを発する
ターミナル１５８−１は
プロセッサ１１９へ巻戻しメッセージを発する
この巻戻しメッセージは
巻戻し開始コマンド
ターミナル１５８−１により記録された最新のＩフレームの識別子
ターミナル１５８−１を特定するＩＰアドレス
を含む
そのような巻戻しメッセージの受信後
プロセッサ１１９は
アセットストレージからその番組に関連した巻戻しトリックファイルを取り出す
プロセッサ１１９は、最新のＩフレームに合致する又は最も近い巻戻しトリックファイルの中のＩフレームを特定する
特定されたＩフレームから開始する巻戻しトリックファイルのＩフレームの識別子のアレイを読み出す
プロセッサ１１９は、読み出したＩフレームの識別子に対応する番組をキャッシュマネージャ１１１から取り出し、そしてターミナル１５８−１ヘトランスポートストリームで送信する
　　
（エ）「When 
the user issues a command to stop rewinding the program, e.g., by toggling the rewind key on the remote control
In response to the rewind termination command, processor 119 stops reading the rewind trick file associated with the program.
Processor 119 causes retrieval of the program material at the normal forward speed from cache manager 111 starting from the I-frame identified by the last read identifier, and transmission of the retrieved program material to terminal 158-1. As a result, terminal 158-1 resumes receiving the program material at the normal forward speed in the same transport stream. 
［訳：
ユーザは、
リモコン上の巻戻しキーをトグルすることによってプログラムの巻き戻しを停止させるコマンドを発行する
巻戻し終了コマンドに応答して、プロセッサ１１９は、番組と関連する巻き戻しトリックファイルの読み出しを停止する
プロセッサ１１９は、最後に読み出された識別子により識別されたＩフレームから始まるキャッシュ・マネージャ１１１からの通常の前進速度での番組素材を検索させ、端末１５８−１に検索されたプログラム素材の送信する。その結果、端子１５８−１は同一トランスポートストリーム内で通常の前進速度での番組素材の受信を再開する
　なお、上記（ア）〜（ウ）の訳は申立人により（申立書２０頁１〜２５行）、上記（エ）の訳は当審による。下線は当審で付与した。
　　
イ　甲第１号証に記載された発明
　上記アによると、甲第１号証には、次の発明（以下「甲１発明」という。）が記載されている。
　　
（甲１発明）
（１ａ）広帯域通信システムにおける双方向番組ガイドにおいて、ＰＶＲ機能（巻戻し、早送り）を実行する方法であって、
（１ｂ）ターミナル１５８−１は、ユーザがＴＶ番組ストリームを見ている間にリモートコントロールが巻戻しコマンドを発する場合、巻戻しコマンド、ターミナル１５８−１により記録された最新のＩフレームの識別子及びターミナル１５８−１を特定するＩＰアドレスを含む巻戻しメッセージを発し、
（１ｃ）プロセッサ１１９は、前記巻戻しメッセージを受信した後、アセットストレージから前記ＴＶ番組ストリームに関連した巻戻しトリックファイルを取り出し、最新のＩフレームに合致する又は最も近い巻戻しトリックファイルの中のＩフレームを特定し、特定されたＩフレームから開始する巻戻しトリックファイルのＩフレームの識別子のアレイを読み出し、読み出したＩフレームの識別子に対応する番組をキャッシュマネージャ１１１から取り出し、
（１ｄ）前記プロセッサ１１９は、キャッシュマネージャ１１１から取り出した前記ＴＶ番組ストリームを前記ターミナル１５８−１ヘトランスポートストリームで送信し、
（１ｅ）前記ターミナル１５８−１は、前記トランスポートストリームを受信し、
（１ｆ）前記プロセッサ１１９は、ユーザの巻戻し終了コマンドに応答して、巻戻しトリックファイルの読み出しを停止し、最後に読み出されたＩフレームから始まるプログラム素材を送信し、
（１ｇ）前記ターミナル１５８−１は通常の前進速度での番組素材の受信を再開する
（１ａ）方法。
　　
（（１ａ）〜（１ｇ）は、構成を区別するために、当審で付与した。以下各構成を「構成１ａ」〜「構成１ｇ」という。）
　　
（２）甲第２号証
ア　甲第２号証の記載事項
　甲第２号証には、トリックプレイバーを表示するシステム及び方法に関し、次の記載がある。
　　
「The invention relates to the interactive display of viewer information in a computer environment. More particularly, 
the invention relates to interactive mode and progress indicators in a computer environment
［訳：本発明は、コンピュータ環境における視聴者情報の対話型ディスプレイに関する。より詳細には、
本発明は、コンピュータ環境におけるインタラクティブモードおよび進行インジケータに関する
　　
「Referring to FIG. 1, a preferred embodiment of the invention has an Input Section 101, Media Switch 102, and an Qutput Section 103. 
The Input Section 101 takes television (TV) input streams
［訳：図１を参照すると、本発明の好適な実施例は、入力セクション１０１、メディア・スイッチ１０２及び出力セクション１０３を有する。
入力セクション１０１は
テレビ(TV)入力ストリームを取り込む
　　
「With respect to FIGS. 7 and 26, as the user watches a program, a trick play bar 2601 is overlaid onto the live video. The CPU 713 uses the OSD generator to display the trick play bar 2601 and its associated components through the digital mixer 718 to the TV or monitor. 
The trick play bar 2601
visually informs
how much of the cache is filled
［訳：図７及び２６に関して、ユーザが番組を観ているとき、トリックプレイバー２６０１ はライブ映像の上にオーバレイされる。 ＣＰＵ７１３は、デジタルミキサー７１８を経由して、トリックプレイバー２６０１及び関連する構成要素を、ＴＶ又はモニターヘ表示するためにＯＳＤジェネレータを使用する。
トリックプレイバー２６０１は
キャッシュがどの程度満たされているかを知らせる
　　
「
The current program is stored in a circular cache 
The green cache bar 2602 inside of the trick play bar 2601 indicates how much of the circular cache is filled. 
［訳：
現在の番組は
サーキュラーキャッシュに蓄えられる
トリックプレイバー２６０１の内側のグリーンキャッシュバー２６０２は、サーキュラーキャッシュがどの程度満たされているかを知らせる
　　
「A slider 2605 moves along the trick play bar 2601 and on top of the cache bar 2602. 
The slider 2605 along with the position indicator 2608 are linked together and tell the user visually where his current position is within the program material.
［訳：スライダー２６０５は、トリックプレイバー２６０１に沿って移動し、キャッシュバー２６０２の上にある。
スライダー２６０５は、ポジションインジケータ２６０８と一緒に結合され、ユーザに対して番組内の現在の位置を視覚的に知らせる
　　
「
The cache bar 2602 expands, when the cache has not been filled, to the right as more of the program is stored in the circular cache
［訳：
キャッシュバー２６０２は、キャッシュが満たされていないとき、番組がサーキュラーキャッシュにストアされていくに従い右へ伸びていく
　　
　なお、訳は申立人による（申立書２７〜２９頁）。下線は当審で付与した。
　　
イ　甲第２号証に記載された技術
　上記アによると、甲第２号証には、次の技術（以下「甲２技術」という。）が記載されている。
　なお、甲２技術の構成と、甲第２号証の記載との対応が分かるように、各構成の末尾に甲第２号証の記載の対応箇所を示した。
　　
（甲２技術）
「入カセクション１０がＴＶ入力ストリームを取り込んでサーキュラーキャッシュにキャッシュし（４欄１〜１０行、１８欄２８〜３７行）、
　サーキュラーキャッシュがどの程度満たされているかを知らせるキャッシュバー２６０２を含むトリックプレイバー２６０１を表示し（１８欄２８〜３７行、５５〜５９行）、
　ユーザに対して番組内の現在の位置を視覚的に知らせるポジションインジケータ２６０８を表示し（１８欄５５〜５９行）、
　キャッシュバー２６０２は、キャッシュが満たされていないとき、番組がサーキュラーキャッシュにストアされていくに従い右へ伸びていき（１９欄１〜３行）、
　ここで、キャッシュバー２６０２は、ＴＶ入カストリームの受信を開始した位置において始まり、その右端において終わり、キャッシュバー２６０２の右端は、番組の内容がサーキュラーキャッシュ内にキャッシュされるにつれて、ＴＶ入カストリームの受信を開始した位置から番組の終わりに向かって移動し、キャッシュバー２６０２の右端の位置は、番組の内容がアクセス可能な最も遅いポイントを示す（図２６）
　コンピュータ環境におけるインタラクティブモードおよび進行インジケータに関する技術（１欄１１〜１４行）」
　　
（３）甲第３号証
　甲第３号証は、特許異議申立の証拠であるが、取消理由（決定の予告）に引用されているものでない。
　　
ア　甲第３号証の記載事項
　甲第３号証には、ビデオデータを提供する方法およびビデオインデックス付けのためのデバイスに関し、次の記載がある。
　　
「【０００１】
【発明の属する技術分野】本発明は、
ビデオあるいは他のデータストリームの位置にアクセスし、探すことに関するものである
　　
「【０００４】図２は、プレイバックされるビデオの位置を参照とするスナップショットを有する従来のビデオプレイバック機構を示している。
ユーザが先へジャンプしたい場合、スナップショットは、ユーザがビデオの位置を選択できる参照のフレームを提供する
【０００５】ビデオクリップ、映画、およびテレビ番組は、現在ウェブを含むネットワークデバイスを介してますます利用される。しばしば、このようなメディアはストリームフォーマットで利用される。ビデオが送信され始めると、ユーザが全ビデオを受信する前に、ストリームフォーマットは受信ビデオストリームを再生し始める。」
　　
「【００２４】ストリームビデオ用途では、ビデオはしばしばサーバ側でインデックス付けされ、その関連画像とともにインデックス付ポイントはクライアントに利用される。しかしながら、インターネット上で利用できるビデオコンテンツの大部分には、サーバ側のインデックスが全く存在しない。本発明はクライアント側のインデックスを迅速に形成する。このようなインデックスを形成するために、クライアントは、ビデオをプレイバックするために使用される主接続に加えて１つあるいはそれ以上のストリームビデオ接続を開く。ストリームビデオが異なる大域幅で符号化されている場合、（付加接続では）低フレーム・レートおよび小さい画像サイズのみが要求されるので、追加の一つもしくはそれ以上の付加接続にはストリームビデオの低品質バージョン（例えば、減縮されたフレーム・サイズ、減縮された解像、減縮されたカラー、グレー・スケール、ブラック・アンド・ホワイト、および、減縮されたフレーム・レート等）を使用することができる。付加接続は、将来のインデックス付ポイントを決定できるように、主プレイバックストリームの現在のプレイバック位置から十分遠く前方にある位置からビデオを受信する。過去のインデックス付ポイントは、主ビデオストリームから決定できるか、あるいは付加接続は現在のプレイバック位置より前の位置からビデオを検索するために開かれてもよい。」
　　
「【００２９】前述のように、ルックアヘッド接続３１０は、複数のルックアヘッドポイントおよび／または１つあるいはそれ以上のルックビハインドポイントを示す単一接続あるいは複数接続であってもよい。それとは別に、特にビデオストリーム３１５がビデオの始めで開始され、現在のプレイバック位置の前の全てのデータがデバイス３２０に既に表示されるように、ビデオがユーザによって前方にジャンプされなければ、ルックビハインドポイントは必要とされない。次に、前のデータは、もしあれば、ルックビハインドポイントを表示するために要約され、インデックス付けされ、利用される。」
　　
「【００３１】黒くされた部分４２０は、ビデオの現在のプレイバック位置に非常に接近してビデオ内のフレームあるいは位置のセットを示す。黒くされた部分４２０は、現在のビデオプレイバック位置を示すより正確なポイント４２５のインジケータを含む。本例では、黒くされた部分に対応するプレイバックビデオの位置／フレームは、約１４：５６から１８：２２までの時間を示す。ビデオのこの部分は、要約され、キーフレームは選択されている（ここでのキーフレームは、ビデオの位置を参照するためにスナップ画像として利用するフレームを決定するための任意の方法を使用する選択フレームと呼ばれる）。要約されたビデオの選択および選択されたキーフレームは、ビデオあるいは１つあるいはそれ以上のルックアヘッド／ルックビハインドチャネルを介して受信されたビデオデータの受信された全ビデオチャネルのいずれかから生じた。ルックアヘッド／ルックビハインドチャネルは参照だけのためのスナップ画像を発生するために使用されるので、このようなチャネルは、ビデオが再生されている間、参照するのに必要とされるスナップ画像を迅速に発生するためにこのデータ高速転送を可能にする減少されたフレーム速度、解像あるいは他の品質を有する低帯域幅チャネルであることが好ましい。しかしながら、十分な帯域幅が可能である場合、ルックアヘッド／バックデータを検索するために、全解像接続が使用されてもよい。
【００３２】
スナップ画像１４４０、１４４５、１４５０、および１４６０は、プレイバックされるビデオのそれぞれのタイムフレームで画像を示し
スライドバー４１５の位置によって示されるように現在のプレイバック位置４２５
　　
「【００３８】図６は、本発明の他の実施形態によるデバイスおよび情報の流れのブロック図である。サーバデバイス６００は、ビデオデータ６１５を本発明のデバイスにストリームする。バッファ６６０は、ストリームされたビデオデータを取得し、可変速度で提供されてもよいパケット間で滑らかな遷移のためのバッファリングを行い、滑らかなデータ６６５のストリームをコントローラ６７０に提供する。ユーザ入力６２５はコントローラ６７０の入力であり、最終ビデオストリームおよび他のデータはディスプレイデバイス６３０に送られる。ビデオストリーム６７５は、受信されたビデオの過ぎ去った部分からインデックス付けされるスナップのような他のデータ、および低解像度チャネル６１０．１．．６１０．ｎを介して受信されたフォワードルックデータを含んでいる。低解像度チャネルは、滑らかなデータ６５５の流れをコントローラ６７０に提供するように低解像チャネルにバッファリングするバッファデバイス６５０へ入力される。代替的に、バッファ６５０は、低解像度で全ビデオを記憶し、チャネル６５５を介してインデックス付けする際に使用するためにいつでも引き出すことができるように十分な記憶領域を備えてもよい。
コントローラ６７０は、
受信されたビデオデータのインデックス付けおよびフレーム選択を実行し、
ディスプレイデバイス６３０上のディスプレイは、
スナップ６４０、現在のビデオプレイバック位置を調整するスライドバー６４５、様々なスナップのための基準マーカを与えるタイムライン６４８を含む
　　
「【００４０】主および低解像チャネルを設定した後、任意の数の方法が現在の位置を識別し、ビデオの早送りあるいは巻き戻しチャネルのための位置を選択するために使用されてもよい。例えば、サーバ側６００は、どのようなビデオが再生されているか、および、（再生されている）このビデオの位置を知り、このサーバ側は適切な低解像度ストリームを自動的にストリームし、現在のプレイバック位置（フォワードあるいはリバースのいずれか）の周辺の適切な低解像ストリームを自動的にストリームするように設定されてもよい。適切な低解像位置は、±時間量、フレーム数、データ量等によって決定されてもよく、再生されるビデオ内の範囲を示すように設定できる任意のパラメータが使用されてもよい。
【００４１】代替的に、チャネル６０５を介してサーバ側に送られたレコードは、ビデオソースおよび主チャネルのいずれか、あるいはフォワードあるいはリバースチャネルのいずれかに対するプレイバック位置を示してもよい。サーバ６００は、リクエストレコードを読み、リクエストされたビデオの一部を要求するデバイスに送るプログラムおよび／またはデバイスを保有する。リクエストレコードは、ビデオ位置更新としてサーバに再提出されてもよい。さらに、ファスト・フォワードあるいはスキップフォワードコマンド（例えば、ダブルクリックあるいは他の選択機構によって
スナップの１つを選択し、ユーザがビデオのこの位置にジャンプすることを望むことを示す
リクエストレコードは再びサーバに再提出される
　　
「【要約】
【課題】　ビデオあるいは他のデータストリームの位置にアクセスし、探すことを目的とする。
【解決手段】　
ジャンプすることができる位置を示すタイムラインに、多数のビデオスナップショットが表示されるシステムが提供される
　　
「【図４】
」
「【図６】
」
　　
イ　甲第３号証に記載された発明
　甲第３号証には、スナップショットが、ユーザがビデオの位置を選択できる参照のフレームを提供し、その選択によりユーザがビデオのこの位置にジャンプすることを可能にするものであること（段落【０００４】、【００４１】）、現在のプレイバック位置４２５の前の位置に対応するスナップショット（スナップ画像）１４４０を表示すること（段落【００３２】、図４）、現在のプレイバック位置４２５の後の位置に対応するスナップショット（スナップ画像）１４６０を表示すること（段落【００３２】、図４）、及び、ジャンプすることができる位置を示すタイムラインに複数のスナップショットを表示すること（段落【００３２】、【００３８】、図４、図６、要約書）が記載されている。
　したがって、甲第３号証には、次の発明（以下「甲３発明」という。）が記載されている。
　　
（甲３発明）
　ジャンプすることができる位置を示すタイムラインに複数のスナップショットを表示し、前記複数のスナップショットには、現在のプレイバック位置の前の位置に対応するスナップショット及び現在のプレイバック位置の後の位置に対応するスナップショットがあり、
　ユーザが前記スナップショットを選択し、当該スナップショットのビデオの位置からビデオストリームを再生する方法。
　　
４　判断
（１）取消理由通知（決定の予告）に記載した取消理由について
ア　本件特許発明１について
（ア）対比
　本件特許発明１と甲１発明とを対比する。
ａ　構成要件１Ａと構成１ａ〜１ｅとを対比する。
　甲１発明における「番組」は、構成要件１Ａの「非オンデマンド映像」に相当する。
　構成１ａ〜１ｅによると、甲１発明は、番組を巻き戻すための方法といえる。
　したがって、構成要件１Ａと構成１ａ〜１ｅとは、「非オンデマンド映像を巻き戻すための方法」として一致する。
　　
ｂ　構成要件１Ｂと構成１ｂとを対比する。
　構成１ｂは、「ユーザが番組を見ている間にリモートコントロールが巻戻しコマンドを発する」ものであり、巻戻しコマンドを発する時点において、番組にアクセスしているといえ、構成１ｂの「ユーザが番組を見ている」時点、すなわち、アクセスしている時点（ポイント）は、番組の開始点より後である。
　したがって、構成要件１Ｂと構成１ｂとは、「映像伝送の開始点よりも後の第１のアクセスポイントにおいて前記映像にアクセスすること」として一致する。
　　
ｃ　構成要件１Ｃと構成１ｂ〜１ｅとを対比する。
　構成１ｃの「読み出したＩフレームの識別子に対応する番組」は、巻戻しメッセージの最新のＩフレームに合致する又は最も近いＩフレームを特定し、特定されたＩフレームから開始する巻戻しトリックファイルのＩフレームの識別子のアレイにより特定されたものであり、構成１ｄの「前記番組を・・・トランスポートストリームで送信」するにおける「トランスポートストリーム」は、構成要件１Ｃの「逆方向ストリーム」に対応する。
　構成１ｄの「トランスポートストリーム」は、Ｉフレームのストリームであり、「巻戻しコマンドを発した時点（ポイント）から前に伝送された番組の内容を含むストリーム」といえる。
　したがって、構成１ｂ〜１ｅは、「前記第１のアクセスポイントよりも前に伝送された前記映像の内容を含む逆方向ストリームを受信すること」として、構成要件１Ｃと一致する。
　また、構成１ｄの「トランスポートストリーム」は、Ｉフレームのストリームであり、全てのフレームを含むものではないが、当該ストリームを見ることにより再生を開始する位置を特定するものであるから、どのような内容の映像かが分かる程度のストリームであると解され、当該ストリームは、「実質的に連続する逆の順番で第１のアクセスポイントから映像の始まりに向かって前記映像を含む」といえる。しかしながら、当該ストリームはすべてのフレームを含むものでないから、「前記映像のフレームをスキップする」点で、構成１ｃ、１ｄは構成要件１Ｃと相違する。
　したがって、構成１ｃ、１ｄは、「前記逆方向ストリームは、実質的に連続する逆の順番で第１のアクセスポイントから前記映像の始まりに向かって前記映像を含む」として、構成要件１Ｃと共通し、前記逆方向ストリームが「前記映像のフレームをスキップする」点で相違する。
　よって、構成要件１Ｃと構成１ｂ〜１ｅとは、「前記第１のアクセスポイントよりも前に伝送された前記映像の内容を含む逆方向ストリームを受信することであって、前記逆方向ストリームは、実質的に連続する逆の順番で第１のアクセスポイントから前記映像の始まりに向かって前記映像を含む、こと」として共通し、前記逆方向ストリームが含む前記映像について、構成要件１Ｃにおいては、「前記映像のフレームをスキップすることはなく」であるのに対し、構成１ｂ〜１ｅにおいては、「前記映像のフレームをスキップする」点で相違する。
　　
ｄ　構成要件１Ｄについて
　構成１ｅの「トランスポートストリーム」は、上記ｃのとおり、「逆方向ストリーム」に対応し、構成１ｄの「ターミナル１５８−１」が受信するするものである。
　しかしながら、「前記逆方向ストリーム」が、相違する点は、上記ｃのとおりである。
　ストリームを受信する際に、バッファ内にキャッシュすることは、技術常識であるから、甲１発明のターミナル１５８−１は、「前記逆方向ストリームの内容を逆方向バッファ内にキャッシュする」といえる。
　さらに、構成１ｅは、「前記映像が伝送している間に」キャッシュするものでない点で構成要件１Ｄと相違する。
　よって、構成要件１Ｄと構成１ｅとは、「前記逆方向ストリームの内容を逆方向バッファ内にキャッシュすることと」として共通し、
　「前記逆方向ストリーム」が上記ｃと同じ相違点があり、さらに、キャッシュすることが、構成要件１Ｄにおいては、「前記映像が伝送している間に」するのに対し、構成１ｅにおいては、「前記映像が伝送している間に」するものではない点で相違する。
　　
ｅ　構成要件１Ｅ〜１Ｈについて
　甲１発明は、「逆方向バーを含む転送制御バーを表示する」構成を含まず、
　「前記逆方向バーは、前記第１のアクセスポイントにおいて始まり、逆方向インジケータにおいて終わり」（構成要件１Ｆ）、
　「前記逆方向インジケータは、前記逆方向ストリームの内容が前記逆方向バッファ内にキャッシュされるにつれて、前記第１のアクセスポイントから前記映像の始まりに向かって逆方向に移動し」（構成要件１Ｇ）、
　「前記逆方向インジケータの位置は、前記映像の内容がアクセス可能な最も早いポイントを示す」（構成要件１Ｈ）
　ものではない点で本件特許発明１と相違する。
　　
ｆ　構成要件１Ｉについて
　構成１ｃにおいて、「プロセッサ１１９は、前記巻戻しメッセージを受信」するから、甲１発明は、「ユーザの巻き戻し要求を受信すること」を含むといえる。
　
ｇ　構成要件１Ｊについて
　甲１発明は、構成要件１Ｊを含んでおらず、本件特許発明１と相違する。
　　
ｈ　構成要件１Ｋについて
　構成１ｆ、１ｇによると、「巻戻し終了コマンド」により「通常の前進速度での番組素材の受信を再開する」から、「巻戻し終了コマンド」は「ユーザからの再生要求」といえる。
　そうすると、構成１ｆ、１ｇは、「前記巻き戻し要求に続いて、前記ユーザから再生要求を受信したことに応答して、前記映像を再生すること」として、構成要件１Ｋと共通する。
　しかしながら、「前記映像を再生すること」が、構成要件１Ｋにおいては、「前記逆方向バッファ内にキャッシュされた前記逆方向ストリームを用いて、前記逆方向カーソルの現在の位置から」再生するのに対し、構成１ｆ、１ｇにおいては「前記逆方向バッファ内にキャッシュされた前記逆方向ストリームを用いて、前記逆方向カーソルの現在の位置から」再生するものではない点で相違する。
　　
ｉ　以上によると、本件特許発明１と甲１発明との一致点、相違点は次のとおりである。
　　
（一致点）
　非オンデマンド映像を巻き戻すための方法であって、前記方法は、
　映像伝送の開始点よりも後の第１のアクセスポイントにおいて前記映像にアクセスすることと、
　前記第１のアクセスポイントよりも前に伝送された前記映像の内容を含む逆方向ストリームを受信することであって、前記逆方向ストリームは、実質的に連続する逆の順番で第１のアクセスポイントから前記映像の始まりに向かって前記映像を含む、ことと、
　前記逆方向ストリームの内容を逆方向バッファ内にキャッシュすることと、
　前記方法は、
　ユーザの巻き戻し要求を受信することと、
　前記巻き戻し要求に続いて、前記ユーザから再生要求を受信したことに応答して、前記映像を再生することと
　をさらに含む、方法。
（相違点１）
　「前記逆方向ストリーム」が含む前記映像について、
　本件特許発明１においては、「前記映像のフレームをスキップすることはなく」であるのに対し、
　甲１発明においては、「前記映像のフレームをスキップする」点
　　
（相違点２）
　「前記逆方向ストリームの内容を逆方向バッファ内にキャッシュすること」が、
　本件特許発明１においては、「前記映像が伝送されている間に」キャッシュするのに対し、甲１発明においては、「前記映像が伝送されている間に」キャッシュするものではない点
　　
（相違点３）
　本件特許発明１が、
「逆方向バーを含む転送制御バーを表示する」構成を含み、
「前記逆方向バーは、前記第１のアクセスポイントにおいて始まり、逆方向インジケータにおいて終わり、
　前記逆方向インジケータは、前記逆方向ストリームの内容が前記逆方向バッファ内にキャッシュされるにつれて、前記第１のアクセスポイントから前記映像の始まりに向かって逆方向に移動し、
　前記逆方向インジケータの位置は、前記映像の内容がアクセス可能な最も早いポイントを示す」ものであるのに対し、
　甲１発明が、
「逆方向バーを含む転送制御バーを表示する」構成を含まず、
「前記逆方向バーは、前記第１のアクセスポイントにおいて始まり、逆方向インジケータにおいて終わり、
　前記逆方向インジケータは、前記逆方向ストリームの内容が前記逆方向バッファ内にキャッシュされるにつれて、前記第１のアクセスポイントから前記映像の始まりに向かって逆方向に移動し、
　前記逆方向インジケータの位置は、前記映像の内容がアクセス可能な最も早いポイントを示す」ものでない点
　　
（相違点４）
　本件特許発明１は、「前記巻き戻し要求に応答して、前記転送制御バーに沿って逆方向に移動する逆方向カーソルを表示する」のに対し、
　甲１発明は、「前記巻き戻し要求に応答して、前記転送制御バーに沿って逆方向に移動する逆方向カーソルを表示する」ものではない点
　　
（相違点５）
　「前記映像を再生すること」が、
　本件特許発明１においては、「前記逆方向バッファ内にキャッシュされた前記逆方向ストリームを用いて、前記逆方向カーソルの現在の位置から」再生するのに対し、
　甲１発明においては、「前記逆方向バッファ内にキャッシュされた前記逆方向ストリームを用いて、前記逆方向カーソルの現在の位置から」再生するものではない点
　　
（イ）判断
　相違点１について検討する。
　甲２には、上記３（２）イのとおりの甲２技術が記載されていると認められるものの、甲２技術は、逆方向ストリームとして、映像のフレームをスキップすることがないストリームを開示するものではない。
　したがって、甲１発明に甲２技術を適用しても、甲１発明において、前記逆方向ストリームが「前記映像のフレームをスキップすることなく」前記映像を含むものとすることはできない。
　よって、本件特許発明１は、甲１発明、甲２技術に基づいて当業者が容易に発明することができたものとは認められない。
　　
（ウ）まとめ
　以上のとおり、本件特許発明１は、甲１発明、甲２技術に基づいて当業者が容易に発明することができたものとは認められない。
　　
イ　本件特許発明２、５〜７について
　本件特許発明２、５〜７は、本件特許発明１を直接的又は間接的に引用するから、上記アと同じ理由で、甲１発明、甲２技術に基づいて当業者が容易に発明することができたものとは認められない。
　　
ウ　本件特許発明１１、１２について
　本件特許発明１１は、本件特許発明１の「方法」の発明とカテゴリーの異なる「システム」発明であるから、本件特許発明１１は、上記アと同様な理由で、甲１に記載された発明、甲２技術に基づいて当業者が容易に発明することができたものとは認められない。
　本件特許発明１２は、本件特許発明１１を引用するから、上記と同じ理由で、甲１に記載された発明、甲２技術に基づいて当業者が容易に発明することができたものとは認められない。
　　
エ　本件特許発明１５について
　本件特許発明１５は、本件特許発明１３を引用するものである。
　本件特許発明１３は、後記（２）カのとおり、甲第１号証に記載された発明、甲第２号証に記載された技術、甲第３号証に記載された発明に基づいて当業者が容易に発明することができたものとは認められない。
　したがって、本件特許発明１５は、本件特許発明１３と同じ理由で、甲第１号証に記載された発明、甲第２号証に記載された技術、甲第３号証に記載された発明に基づいて当業者が容易に発明することができたものとは認められない。
　　
オ　本件特許発明１６〜１７について
　本件特許発明１６は、本件特許発明１３を引用するものである。
　本件特許発明１３は、後記（２）カのとおり、甲第１号証に記載された発明、甲第２号証に記載された技術、甲第３号証に記載された発明に基づいて当業者が容易に発明することができたものとは認められない。
　したがって、本件特許発明１６は、本件特許発明１３と同じ理由で、甲第１号証に記載された発明、甲第２号証に記載された技術、甲第３号証に記載された発明に基づいて当業者が容易に発明することができたものとは認められない。
  また、本件特許発明１７は、本件特許発明１６を引用するものであるから、本件特許発明１６と同じ理由で、甲第１号証に記載された発明、甲第２号証に記載された技術、甲第３号証に記載された発明に基づいて当業者が容易に発明することができたものとは認められない。
　　
（２）取消理由通知（決定の予告）において採用しなかった取消理由について
ア　本件特許発明３について
（ア）本件特許発明３
　本件特許発明３を再掲する。
　　
（本件特許発明３）
（３Ａ）非オンデマンド映像を巻き戻すための方法であって、前記方法は、
（３Ｂ）映像伝送の開始点よりも後の第１のアクセスポイントにおいて前記映像にアクセスすることと、
（３Ｃ）前記第１のアクセスポイントよりも前に伝送された前記映像の内容を含む逆方向ストリームを受信することであって、前記逆方向ストリームは、実質的に連続する逆の順番で第１のアクセスポイントから前記映像の始まりに向かって前記映像を含む、ことと、
（３Ｄ）前記逆方向ストリームの内容を逆方向バッファ内にキャッシュすることと、
（３Ｅ）逆方向バーを含む転送制御バーを表示することと
を含み、
（３Ｆ）前記逆方向バーは、前記第１のアクセスポイントにおいて始まり、逆方向インジケータにおいて終わり、
（３Ｇ）前記逆方向インジケータは、前記逆方向ストリームの内容が前記逆方向バッファ内にキャッシュされるにつれて、前記第１のアクセスポイントから前記映像の始まりに向かって逆方向に移動し、
（３Ｈ）前記逆方向インジケータの位置は、前記映像の内容がアクセス可能な最も早いポイントを示し、
（３Ｉ）前記方法は、前記逆方向インジケータの現在の位置に対応する逆方向プレビュー画像を表示すること
（３Ａ）をさらに含む、方法。
　　
（イ）甲第１号証に記載された発明
　上記３（１）ア（ア）〜（ウ）によると、甲第１号証には次の発明（以下「甲１発明２」が記載されていると認められる。
　　
（甲１発明２）
（１ａ）広帯域通信システムにおける双方向番組ガイドにおいて、ＰＶＲ機能（巻戻し、早送り）を実行する方法であって、
（１ｂ）ターミナル１５８−１は、ユーザがＴＶ番組ストリームを見ている間にリモートコントロールが巻戻しコマンドを発する場合、巻戻しコマンド、ターミナル１５８−１により記録された最新のＩフレームの識別子及びターミナル１５８−１を特定するＩＰアドレスを含む巻戻しメッセージを発し、
（１ｃ）プロセッサ１１９は、前記巻戻しメッセージを受信した後、アセットストレージから前記ＴＶ番組ストリームに関連した巻戻しトリックファイルを取り出し、最新のＩフレームに合致する又は最も近い巻戻しトリックファイルの中のＩフレームを特定し、特定されたＩフレームから開始する巻戻しトリックファイルのＩフレームの識別子のアレイを読み出し、読み出したＩフレームの識別子に対応する番組をキャッシュマネージャ１１１から取り出し、
（１ｄ）前記プロセッサ１１９は、キャッシュマネージャ１１１から取り出した前記ＴＶ番組ストリームを前記ターミナル１５８−１ヘトランスポートストリームで送信し、
（１ｅ）前記ターミナル１５８−１は、前記トランスポートストリームを受信する
（１ａ）方法。
　　
（（１ａ）〜（１ｅ）は、構成を区別するために、当審で付与した。甲１発明と同じ構成には同じ記号を付与した。）
　　
（ウ）対比
　本件特許発明３と甲１発明２とを対比する。
ａ　構成要件３Ａと構成１ａ〜１ｅとを対比する。
　甲１発明２における「番組」は、構成要件３Ａの「非オンデマンド映像」に相当する。
　構成１ａ〜１ｅによると、甲１発明２は、番組を巻き戻すための方法といえる。
　したがって、構成要件３Ａと構成１ａ〜１ｅとは、「非オンデマンド映像を巻き戻すための方法」として一致する。
　　
ｂ　構成要件３Ｂと構成１ｂとを対比する。
　構成１ｂは、「ユーザが番組を見ている間にリモートコントロールが巻戻しコマンドを発する」ものであり、巻戻しコマンドを発する時点において、番組にアクセスしているといえ、構成１ｂの「ユーザが番組を見ている」時点、すなわち、アクセスしている時点（ポイント）は、番組の開始点より後である。
　したがって、構成要件３Ｂと構成１ｂとは、「映像伝送の開始点よりも後の第１のアクセスポイントにおいて前記映像にアクセスすること」として一致する。
　　
ｃ　構成要件３Ｃと構成１ｂ〜１ｅとを対比する。
　構成１ｃの「読み出したＩフレームの識別子に対応する番組」は、巻戻しメッセージの最新のＩフレームに合致する又は最も近いＩフレームを特定し、特定されたＩフレームから開始する巻戻しトリックファイルのＩフレームの識別子のアレイにより特定されたものであり、構成１ｄの「前記番組を・・・トランスポートストリームで送信」するにおける「トランスストリーム」は、構成要件３Ｃの「逆方向ストリーム」に対応する。
　構成１ｄの「トランスストリーム」は、Ｉフレームのストリームであり、「巻戻しコマンドを発した時点（ポイント）から前に伝送された番組の内容を含むストリーム」といえる。
　したがって、構成１ｂ〜１ｅは、「前記第１のアクセスポイントよりも前に伝送された前記映像の内容を含む逆方向ストリームを受信すること」として、構成要件３Ｃと一致する。
　また、構成１ｄの「トランスストリーム」は、Ｉフレームのストリームであり、全てのフレームを含むものではないが、当該ストリームを見ることにより再生を開始する位置を特定するものであるから、どのような内容の映像かが分かる程度のストリームであると解され、当該ストリームは、「実質的に連続する逆の順番で第１のアクセスポイントから映像の始まりに向かって前記映像を含む」といえる。
　したがって、構成１ｃ、１ｄは、「前記逆方向ストリームは、実質的に連続する逆の順番で第１のアクセスポイントから前記映像の始まりに向かって前記映像を含む」として、構成要件３Ｃと一致する。
　よって、構成要件３Ｃと構成１ｂ〜１ｅとは、「前記第１のアクセスポイントよりも前に伝送された前記映像の内容を含む逆方向ストリームを受信することであって、前記逆方向ストリームは、実質的に連続する逆の順番で第１のアクセスポイントから前記映像の始まりに向かって前記映像を含む、こと」として一致する。
　　
ｄ　構成要件３Ｄについて
　構成１ｅの「トランスポートストリーム」は、上記ｃのとおり、「逆方向ストリーム」であって、構成１ｄの「ターミナル１５８−１」が受信するするものである。
　ストリームを受信する際に、バッファ内にキャッシュすることは、技術常識であるから、甲１発明２のターミナル１５８−１は、「前記逆方向ストリームの内容を逆方向バッファ内にキャッシュする」といえる。
　　
ｅ　構成要件３Ｅ〜３Ｈについて
　甲１発明２は、「逆方向バーを含む転送制御バーを表示する」構成を含まず、
　「前記逆方向バーは、前記第１のアクセスポイントにおいて始まり、逆方向インジケータにおいて終わり」（構成要件３Ｆ）、
　「前記逆方向インジケータは、前記逆方向ストリームの内容が前記逆方向バッファ内にキャッシュされるにつれて、前記第１のアクセスポイントから前記映像の始まりに向かって逆方向に移動し」（構成要件３Ｇ）、
　「前記逆方向インジケータの位置は、前記映像の内容がアクセス可能な最も早いポイントを示す」（構成要件３Ｈ）
　ものではない点で本件特許発明３と相違する。
　　
ｆ　構成要件Ｉについて
　甲１発明２は、「前記逆方向インジケータの現在の位置に対応する逆方向プレビュー画像を表示する」ものではない点で本件特許発明３と相違する。
　　
ｇ　以上によると、本件特許発明３と甲１発明２との一致点、相違点は次のとおりである。
　　
（一致点）
　非オンデマンド映像を巻き戻すための方法であって、前記方法は、
　映像伝送の開始点よりも後の第１のアクセスポイントにおいて前記映像にアクセスすることと、
　前記第１のアクセスポイントよりも前に伝送された前記映像の内容を含む逆方向ストリームを受信することであって、前記逆方向ストリームは、実質的に連続する逆の順番で第１のアクセスポイントから前記映像の始まりに向かって前記映像を含む、ことと、
　前記逆方向ストリームの内容を逆方向バッファ内にキャッシュすることと、
を含む方法。
　　
（相違点１）
　本件特許発明３が、
「逆方向バーを含む転送制御バーを表示する」構成を含み、
「前記逆方向バーは、前記第１のアクセスポイントにおいて始まり、逆方向インジケータにおいて終わり、
　前記逆方向インジケータは、前記逆方向ストリームの内容が前記逆方向バッファ内にキャッシュされるにつれて、前記第１のアクセスポイントから前記映像の始まりに向かって逆方向に移動し、
　前記逆方向インジケータの位置は、前記映像の内容がアクセス可能な最も早いポイントを示す」ものであるのに対し、
　甲１発明２が、
「逆方向バーを含む転送制御バーを表示する」構成を含まず、
「前記逆方向バーは、前記第１のアクセスポイントにおいて始まり、逆方向インジケータにおいて終わり、
　前記逆方向インジケータは、前記逆方向ストリームの内容が前記逆方向バッファ内にキャッシュされるにつれて、前記第１のアクセスポイントから前記映像の始まりに向かって逆方向に移動し、
　前記逆方向インジケータの位置は、前記映像の内容がアクセス可能な最も早いポイントを示す」ものでない点
　　
（相違点２）
　本件特許発明３が、「前記逆方向インジケータの現在の位置に対応する逆方向プレビュー画像を表示する」ものであるのに対し、
　甲２発明２が、「前記逆方向インジケータの現在の位置に対応する逆方向プレビュー画像を表示する」ものでない点
　　
（エ）判断
ａ　相違点１について
　甲１発明２と甲２技術は、ストリームをインタラクティブ早送り、巻戻しする技術である点で共通する技術分野の技術であるから、甲１発明２に甲２技術を適用することは当業者が容易に想到し得ることである。よって、甲１発明２において甲２技術を適用して、キャッシュしているＴＶ番組ストリームのキャッシュしている状態をトリックプレイバーを用いて表示する方法とすることは、当業者が容易に想到し得ることである。
　ここで、甲１発明２に甲２技術を適用した方法は、甲１発明２のターミナルは巻戻しメッセージによって取り出したＴＶ番組ストリームを受信するから、「トリックプレイバー」は、巻戻しによるポジションインジケータを含む転送制御バーとなり、「キャッシュバー」は、巻戻しによるＴＶ番組ストリームのキャッシュがどの程度満たされたかを示すキャッシュバーとなる。
　甲１発明２における「トランスストリーム」は、上記（イ）ｃのとおり、「実質的に連続する逆の順番で第１のアクセスポイントから映像の始まりに向かって前記映像を含む」といえるから、キャッシュしている状態を示すキャッシュバーは、「前記第１のアクセスポイントにおいて始ま」るものであり、キャッシュバーの終わりは、「逆方向インジケータ」といえる。また、キャッシュしている状態を示すキャッシュバーは、「前記逆方向ストリームの内容が前記逆方向バッファ内にキャッシュされるにつれて、前記第１のアクセスポイントから前記映像の始まりに向かって逆方向に移動」するといえる。
　さらに、キャッシュバーの終わり、すなわち、逆インジケータの位置は、甲１発明２における「トランスストリーム」が、上記（ウ）ｃのとおり、「実質的に連続する逆の順番で第１のアクセスポイントから映像の始まりに向かって前記映像を含む」といえるから、「前記映像の内容がアクセス可能な最も早いポイントを示す」ものといえる。
　したがって、甲１発明２に甲２技術を適用して、相違点１の構成とすることは、当業者が容易に想到し得ることである。
　　
ｂ　相違点２について
　上記ａのとおり、相違点１については、甲１発明２及び甲２技術に基づいて当業者が容易に想到し得るものであるが、本件特許発明３は、当該容易想到の構成にさらに、「前記逆方向インジケータの現在の位置に対応する逆方向プレビュー画像を表示する」技術を適用することが必要であり、このように複数の段階を乗り越えるには、格別な創作能力が必要であり、当業者にとって容易とはいえない。
　したがって、本件特許発明３は、甲第１号証に記載された発明、甲第２号証に記載された技術、甲第３号証に記載された発明に基づいて当業者が容易に発明することができたものとは認められない。
　　
（オ）まとめ
　以上のとおり、本件特許発明３は、甲第１号証に記載された発明、甲第２号証に記載された技術、甲第３号証に記載された発明に基づいて当業者が容易に発明することができたものとは認められない。
　　
イ　本件特許発明４について
　本件特許発明４は、本件特許発明３を引用するから、上記アと同じ理由で、甲第１号証に記載された発明、甲第２号証に記載された技術、甲第３号証に記載された発明に基づいて当業者が容易に発明することができたものとは認められない。
　　
ウ　本件特許発明８について
（ア）本件特許発明８
　本件特許発明８を再掲する。
　　
（本件特許発明８）
（８Ａ）非オンデマンド映像を巻き戻すための方法であって、前記方法は、
（８Ｂ）映像伝送の開始点よりも後の第１のアクセスポイントにおいて前記映像にアクセスすることと、
（８Ｃ）前記第１のアクセスポイントよりも前に伝送された前記映像の内容を含む逆方向ストリームを受信することであって、前記逆方向ストリームは、実質的に連続する逆の順番で第１のアクセスポイントから前記映像の始まりに向かって前記映像を含む、ことと、
（８Ｄ）前記逆方向ストリームの内容を逆方向バッファ内にキャッシュすることと、
（８Ｅ）逆方向バーを含む転送制御バーを表示することと
　を含み、
（８Ｆ）前記逆方向バーは、前記第１のアクセスポイントにおいて始まり、逆方向インジケータにおいて終わり、
（８Ｇ）前記逆方向インジケータは、前記逆方向ストリームの内容が前記逆方向バッファ内にキャッシュされるにつれて、前記第１のアクセスポイントから前記映像の始まりに向かって逆方向に移動し、
（８Ｈ）前記逆方向インジケータの位置は、前記映像の内容がアクセス可能な最も早いポイントを示し、
（８Ａ）前記方法は、
（８Ｉ）まだ伝送されていない前記映像の内容を含む順方向ストリームを受信することであって、前記順方向ストリームは、前記映像が最初にアクセスされた時間の後から前記映像の終わりに向かって順方向に前記映像をストリームし、前記順方向ストリームは、リアルタイムよりも速く伝送される、ことと、
（８Ｊ）前記順方向ストリームの内容を順方向バッファ内にキャッシュすることと
　をさらに含み、
（８Ｋ）前記転送制御バーは、順方向バーをさらに含み、
（８Ｌ）前記順方向バーは、前記第１のアクセスポイントにおいて始まり、順方向インジケータにおいて終わり、
（８Ｍ）前記順方向インジケータは、前記順方向ストリームの内容が前記順方向バッファ内にキャッシュされるにつれて、前記第１のアクセスポイントから前記映像の終わりに向かって順方向に移動し、
（８Ｎ）前記順方向インジケータの位置は、前記映像の内容がアクセス可能な最も遅いポイントを示し、
（８Ｏ）前記方法は、前記順方向インジケータの現在の位置に対応する順方向プレビュー画像を表示すること
（８Ａ）をさらに含む、方法。
　　
（イ）甲１発明２
　甲１発明２は、上記ア（イ）のとおりである。
　　
（ウ）対比
　本件特許発明８と甲１発明２とを対比する。
ａ　構成要件８Ａ〜８Ｈについて
　本件特許発明８の構成要件８Ａ〜８Ｈは、本件特許発明３の構成要件３Ａ〜３Ｈと同じであるから、上記ア（ウ）ａ〜ｅを援用する。
　　
ｂ　構成要件８Ｉ〜８Ｎについて
　甲１発明２は、
「（８Ｉ）まだ伝送されていない前記映像の内容を含む順方向ストリームを受信することであって、前記順方向ストリームは、前記映像が最初にアクセスされた時間の後から前記映像の終わりに向かって順方向に前記映像をストリームし、前記順方向ストリームは、リアルタイムよりも速く伝送される、ことと、
（８Ｊ）前記順方向ストリームの内容を順方向バッファ内にキャッシュすることと
　をさらに含み、
（８Ｋ）前記転送制御バーは、順方向バーをさらに含み、
（８Ｌ）前記順方向バーは、前記第１のアクセスポイントにおいて始まり、順方向インジケータにおいて終わり、
（８Ｍ）前記順方向インジケータは、前記順方向ストリームの内容が前記順方向バッファ内にキャッシュされるにつれて、前記第１のアクセスポイントから前記映像の終わりに向かって順方向に移動し、
（８Ｎ）前記順方向インジケータの位置は、前記映像の内容がアクセス可能な最も遅いポイントを示」すものではなく、本件特許発明８と相違する。
　　
ｃ　構成要件８Ｏについて
　甲１発明２は、「前記順方向インジケータの現在の位置に対応する順方向プレビュー画像を表示する」ものではなく、本件特許発明８と相違する。
　　
ｄ　以上によると、本件特許発明８と甲１発明２との一致点、相違点は次のとおりである。
　　
（一致点）
　非オンデマンド映像を巻き戻すための方法であって、前記方法は、
　映像伝送の開始点よりも後の第１のアクセスポイントにおいて前記映像にアクセスすることと、
　前記第１のアクセスポイントよりも前に伝送された前記映像の内容を含む逆方向ストリームを受信することであって、前記逆方向ストリームは、実質的に連続する逆の順番で第１のアクセスポイントから前記映像の始まりに向かって前記映像を含む、ことと、
　前記逆方向ストリームの内容を逆方向バッファ内にキャッシュすることと、
を含む方法。
　　
（相違点１）
　本件特許発明８が、
「逆方向バーを含む転送制御バーを表示する」構成を含み、
「前記逆方向バーは、前記第１のアクセスポイントにおいて始まり、逆方向インジケータにおいて終わり、
　前記逆方向インジケータは、前記逆方向ストリームの内容が前記逆方向バッファ内にキャッシュされるにつれて、前記第１のアクセスポイントから前記映像の始まりに向かって逆方向に移動し、
　前記逆方向インジケータの位置は、前記映像の内容がアクセス可能な最も早いポイントを示す」ものであるのに対し、
　甲１発明２が、
「逆方向バーを含む転送制御バーを表示する」構成を含まず、
「前記逆方向バーは、前記第１のアクセスポイントにおいて始まり、逆方向インジケータにおいて終わり、
　前記逆方向インジケータは、前記逆方向ストリームの内容が前記逆方向バッファ内にキャッシュされるにつれて、前記第１のアクセスポイントから前記映像の始まりに向かって逆方向に移動し、
　前記逆方向インジケータの位置は、前記映像の内容がアクセス可能な最も早いポイントを示す」ものでない点
　　
（相違点２）
　本件特許発明８が、
「まだ伝送されていない前記映像の内容を含む順方向ストリームを受信することであって、前記順方向ストリームは、前記映像が最初にアクセスされた時間の後から前記映像の終わりに向かって順方向に前記映像をストリームし、前記順方向ストリームは、リアルタイムよりも速く伝送される、ことと、
　前記順方向ストリームの内容を順方向バッファ内にキャッシュすることと
　をさらに含み、
　前記転送制御バーは、順方向バーをさらに含み、
　前記順方向バーは、前記第１のアクセスポイントにおいて始まり、順方向インジケータにおいて終わり、
　前記順方向インジケータは、前記順方向ストリームの内容が前記順方向バッファ内にキャッシュされるにつれて、前記第１のアクセスポイントから前記映像の終わりに向かって順方向に移動し、
　前記順方向インジケータの位置は、前記映像の内容がアクセス可能な最も遅いポイントを示」すものであるのに対し、
　甲１発明２が、そのように構成されていない点
  　
（相違点３）
　本件特許発明８が、「前記順方向インジケータの現在の位置に対応する順方向プレビュー画像を表示する」ものであるのに対し、
　甲１発明２が、「前記順方向インジケータの現在の位置に対応する順方向プレビュー画像を表示する」ものでない点
　　
（エ）判断
ａ　相違点１について
　相違点１は、本件特許発明３と甲１発明２との相違点１と同じであるから、上記ア（エ）ａのとおり、甲１発明２に甲２技術を適用して、相違点１の構成とすることは、当業者が容易に想到し得ることである。
　
ｂ　相違点２について
　甲２技術は、「順方向バー」、「順方向インジケータ」に相当する構成を有している。
　したがって、甲１発明２に甲２技術を適用して、相違点２の構成とすることは、当業者が容易に想到し得ることである。
　　
ｃ　相違点３について
　上記ａ、ｂのとおり、相違点１、２については、甲１発明２及び甲２技術に基づいて当業者が容易に想到し得るものであるが、本件特許発明８は、当該容易想到の構成にさらに、「前記順方向インジケータの現在の位置に対応する順方向プレビュー画像を表示する」技術を適用することが必要であり、このように複数の段階を乗り越えるには、格別な創作能力が必要であり、当業者にとって容易とはいえない。
　したがって、本件特許発明８は、甲第１号証に記載された発明、甲第２号証に記載された技術、甲第３号証に記載された発明に基づいて当業者が容易に発明することができたものとは認められない。
　　
（オ）まとめ
　以上のとおり、本件特許発明８は、甲第１号証に記載された発明、甲第２号証に記載された技術、甲第３号証に記載された発明に基づいて当業者が容易に発明することができたものとは認められない。
　　
エ　本件特許発明９について
　本件特許発明９は、本件特許発明８を引用するから、上記ウと同じ理由で、甲第１号証に記載された発明、甲第２号証に記載された技術、甲第３号証に記載された発明に基づいて当業者が容易に発明することができたものとは認められない。
　
オ　本件特許発明１０について
（ア）本件特許発明１０
　本件特許発明１０を再掲する。
　　
（本件特許発明１０）
（１０Ａ）非オンデマンド映像を巻き戻すための方法であって、前記方法は、
（１０Ｂ）映像伝送の開始点よりも後の第１のアクセスポイントにおいて前記映像にアクセスすることと、
（１０Ｃ）前記第１のアクセスポイントよりも前に伝送された前記映像の内容を含む逆方向ストリームを受信することであって、前記逆方向ストリームは、実質的に連続する逆の順番で第１のアクセスポイントから前記映像の始まりに向かって前記映像を含む、ことと、
（１０Ｄ）前記逆方向ストリームの内容を逆方向バッファ内にキャッシュすることと、
（１０Ｅ）逆方向バーを含む転送制御バーを表示することと
を含み、
（１０Ｆ）前記逆方向バーは、前記第１のアクセスポイントにおいて始まり、逆方向インジケータにおいて終わり、
（１０Ｇ）前記逆方向インジケータは、前記逆方向ストリームの内容が前記逆方向バッファ内にキャッシュされるにつれて、前記第１のアクセスポイントから前記映像の始まりに向かって逆方向に移動し、
（１０Ｈ）前記逆方向インジケータの位置は、前記映像の内容がアクセス可能な最も早いポイントを示し、
（１０Ｉ）前記方法は、複数の逆方向インジケータと、前記複数の逆方向インジケータのうちの個々のいくつかに関連付けられた複数の逆方向プレビュー画像とを表示すること
（１０Ａ）をさらに含む、方法。
　　
（イ）甲１発明２
　甲１発明２は、上記ア（イ）のとおりである。
　　
（ウ）対比
　本件特許発明１０と甲１発明２とを対比する。
ａ　構成要件１０Ａ〜１０Ｈについて
　本件特許発明１０の構成要件１０Ａ〜１０Ｈは、本件特許発明の構成要件３Ａ〜３Ｈと同じであるから、上記ア（ウ）ａ〜ｅを援用する。
　　
ｂ　構成要件１０Ｉについて
　甲１発明２は、「複数の逆方向インジケータと、前記複数の逆方向インジケータのうちの個々のいくつかに関連付けられた複数の逆方向プレビュー画像とを表示する」ものではなく、本件特許発明１０と相違する。
　　
ｄ　以上によると、本件特許発明１０と甲１発明２との一致点、相違点は次のとおりである。
　　
（一致点）
　非オンデマンド映像を巻き戻すための方法であって、前記方法は、
　映像伝送の開始点よりも後の第１のアクセスポイントにおいて前記映像にアクセスすることと、
　前記第１のアクセスポイントよりも前に伝送された前記映像の内容を含む逆方向ストリームを受信することであって、前記逆方向ストリームは、実質的に連続する逆の順番で第１のアクセスポイントから前記映像の始まりに向かって前記映像を含む、ことと、
　前記逆方向ストリームの内容を逆方向バッファ内にキャッシュすることと、
を含む方法。
　　
（相違点１）
　本件特許発明１０が、
「逆方向バーを含む転送制御バーを表示する」構成を含み、
「前記逆方向バーは、前記第１のアクセスポイントにおいて始まり、逆方向インジケータにおいて終わり、
　前記逆方向インジケータは、前記逆方向ストリームの内容が前記逆方向バッファ内にキャッシュされるにつれて、前記第１のアクセスポイントから前記映像の始まりに向かって逆方向に移動し、
　前記逆方向インジケータの位置は、前記映像の内容がアクセス可能な最も早いポイントを示す」ものであるのに対し、
　甲１発明２が、
「逆方向バーを含む転送制御バーを表示する」構成を含まず、
「前記逆方向バーは、前記第１のアクセスポイントにおいて始まり、逆方向インジケータにおいて終わり、
　前記逆方向インジケータは、前記逆方向ストリームの内容が前記逆方向バッファ内にキャッシュされるにつれて、前記第１のアクセスポイントから前記映像の始まりに向かって逆方向に移動し、
　前記逆方向インジケータの位置は、前記映像の内容がアクセス可能な最も早いポイントを示す」ものでない点
　　
（相違点２）
　本件特許発明１０が、「複数の逆方向インジケータと、前記複数の逆方向インジケータのうちの個々のいくつかに関連付けられた複数の逆方向プレビュー画像とを表示する」ものであるのに対し、
　甲１発明２が、「複数の逆方向インジケータと、前記複数の逆方向インジケータのうちの個々のいくつかに関連付けられた複数の逆方向プレビュー画像とを表示する」ものでない点
　　
（エ）判断
ａ　相違点１について
　相違点１は、本件特許発明３と甲１発明２との相違点１と同じであるから、上記ア（エ）ａのとおり、甲１発明２に甲２技術を適用して、相違点１の構成とすることは、当業者が容易に想到し得ることである。
　
ｂ　相違点２について
　上記ａのとおり、相違点１については、甲１発明２及び甲２技術に基づいて当業者が容易に想到し得るものであるが、本件特許発明１０は、当該容易想到の構成にさらに、「複数の逆方向インジケータと、前記複数の逆方向インジケータのうちの個々のいくつかに関連付けられた複数の逆方向プレビュー画像とを表示する」技術を適用することが必要であり、このように複数の段階を乗り越えるには、格別な創作能力が必要であり、当業者にとって容易とはいえない。
　したがって、本件特許発明１０は、甲第１号証に記載された発明、甲第２号証に記載された技術、甲第３号証に記載された発明に基づいて当業者が容易に発明することができたものとは認められない。
　　
（オ）まとめ
　以上のとおり、本件特許発明１０は、甲第１号証に記載された発明、甲第２号証に記載された技術、甲第３号証に記載された発明に基づいて当業者が容易に発明することができたものとは認められない。
　　
カ　本件特許発明１３、１４、１８〜２０について
　本件特許発明１３、１４、１８〜２０は、本件特許発明３、４、８〜１０のカテゴリーの異なる発明であるから、本件特許発明３、４、８〜１０と同様に、甲第１号証に記載された発明、甲第２号証に記載された技術、甲第３号証に記載された発明に基づいて当業者が容易に発明することができたものとは認められない。
　　
第４　むすび
　以上のとおりであるから、取消理由通知に記載した取消理由及び特許異議申立書に記載した特許異議申立理由によっては、本件訂正請求により訂正された訂正後の請求項１〜２０に係る特許を取り消すことはできない。
　また、他に本件訂正請求により訂正された訂正後の請求項１〜２０に係る特許を取り消すべき理由を発見しない。
　よって、結論のとおり決定する。
【異議決定日】
令和１年６月１４日（２０１９．６．１４）
【訂正の要旨】
審決（決定）の【理由】欄参照。
（５７）【特許請求の範囲】
　【請求項１】
　非オンデマンド映像を巻き戻すための方法であって、前記方法は、
　映像伝送の開始点よりも後の第１のアクセスポイントにおいて前記映像にアクセスすることと、
　前記第１のアクセスポイントよりも前に伝送された前記映像の内容を含む逆方向ストリームを受信することであって、前記逆方向ストリームは、
前記映像のフレームをスキップすることなく
　
前記映像が伝送されている間に
　逆方向バーを含む転送制御バーを表示することと
　を含み、
　前記逆方向バーは、前記第１のアクセスポイントにおいて始まり、逆方向インジケータにおいて終わり、
　前記逆方向インジケータは、前記逆方向ストリームの内容が前記逆方向バッファ内にキャッシュされるにつれて、前記第１のアクセスポイントから前記映像の始まりに向かって逆方向に移動し、
　前記逆方向インジケータの位置は、前記映像の内容がアクセス可能な最も早いポイントを示
し、
　
前記方法は、
　
ユーザの巻き戻し要求を受信することと、
　
前記巻き戻し要求に応答して、前記転送制御バーに沿って逆方向に移動する逆方向カーソルを表示することと、
　
前記巻き戻し要求に続いて、前記ユーザから再生要求を受信したことに応答して、前記逆方向バッファ内にキャッシュされた前記逆方向ストリームを用いて、前記逆方向カーソルの現在の位置から前記映像を再生することと
　
をさらに含む、
　【請求項２】
　前記逆方向インジケータよりも早い前記映像の内容は、アクセス不可能である、請求項１に記載の方法。
　【請求項３】
　
非オンデマンド映像を巻き戻すための方法であって、前記方法は、
　
映像伝送の開始点よりも後の第１のアクセスポイントにおいて前記映像にアクセスすることと、
　
前記第１のアクセスポイントよりも前に伝送された前記映像の内容を含む逆方向ストリームを受信することであって、前記逆方向ストリームは、実質的に連続する逆の順番で第１のアクセスポイントから前記映像の始まりに向かって前記映像を含む、ことと、
　
前記逆方向ストリームの内容を逆方向バッファ内にキャッシュすることと、
　
逆方向バーを含む転送制御バーを表示することと
　
を含み、
　
前記逆方向バーは、前記第１のアクセスポイントにおいて始まり、逆方向インジケータにおいて終わり、
　
前記逆方向インジケータは、前記逆方向ストリームの内容が前記逆方向バッファ内にキャッシュされるにつれて、前記第１のアクセスポイントから前記映像の始まりに向かって逆方向に移動し、
　
前記逆方向インジケータの位置は、前記映像の内容がアクセス可能な最も早いポイントを示し、
　
前記方法は、
、
　【請求項４】
　前記逆方向プレビュー画像のユーザ選択を受信することと、
　前記ユーザ選択を受信したことに応答して、前記選択された逆方向プレビュー画像に対応する前記逆方向インジケータの前記現在の位置から前記映像を再生することと
　をさらに含む、請求項３に記載の方法。
　【請求項５】
　前記転送制御バーは、ユーザに対して現在の再生位置を示す現在のインジケータをさらに含む、請求項１に記載の方法。
　【請求項６】
　まだ伝送されていない前記映像の内容を含む順方向ストリームを受信することであって、前記順方向ストリームは、前記映像が最初にアクセスされた時間の後から前記映像の終わりに向かって順方向に前記映像をストリームし、前記順方向ストリームは、リアルタイムよりも速く伝送される、ことと、
　前記順方向ストリームの内容を順方向バッファ内にキャッシュすることと
　をさらに含む、請求項１に記載の方法。
　【請求項７】
　前記転送制御バーは、順方向バーをさらに含み、
　前記順方向バーは、前記第１のアクセスポイントにおいて始まり、順方向インジケータにおいて終わり、
　前記順方向インジケータは、前記順方向ストリームの内容が前記順方向バッファ内にキャッシュされるにつれて、前記第１のアクセスポイントから前記映像の終わりに向かって順方向に移動し、
　前記順方向インジケータの位置は、前記映像の内容がアクセス可能な最も遅いポイントを示す、請求項６に記載の方法。
　【請求項８】
　
非オンデマンド映像を巻き戻すための方法であって、前記方法は、
　
映像伝送の開始点よりも後の第１のアクセスポイントにおいて前記映像にアクセスすることと、
　
前記第１のアクセスポイントよりも前に伝送された前記映像の内容を含む逆方向ストリームを受信することであって、前記逆方向ストリームは、実質的に連続する逆の順番で第１のアクセスポイントから前記映像の始まりに向かって前記映像を含む、ことと、
　
前記逆方向ストリームの内容を逆方向バッファ内にキャッシュすることと、
　
逆方向バーを含む転送制御バーを表示することと
　
を含み、
　
前記逆方向バーは、前記第１のアクセスポイントにおいて始まり、逆方向インジケータにおいて終わり、
　
前記逆方向インジケータは、前記逆方向ストリームの内容が前記逆方向バッファ内にキャッシュされるにつれて、前記第１のアクセスポイントから前記映像の始まりに向かって逆方向に移動し、
　
前記逆方向インジケータの位置は、前記映像の内容がアクセス可能な最も早いポイントを示し、
　
前記方法は、
　
まだ伝送されていない前記映像の内容を含む順方向ストリームを受信することであって、前記順方向ストリームは、前記映像が最初にアクセスされた時間の後から前記映像の終わりに向かって順方向に前記映像をストリームし、前記順方向ストリームは、リアルタイムよりも速く伝送される、ことと、
　
前記順方向ストリームの内容を順方向バッファ内にキャッシュすることと
　
をさらに含み、
　
前記転送制御バーは、順方向バーをさらに含み、
　
前記順方向バーは、前記第１のアクセスポイントにおいて始まり、順方向インジケータにおいて終わり、
　
前記順方向インジケータは、前記順方向ストリームの内容が前記順方向バッファ内にキャッシュされるにつれて、前記第１のアクセスポイントから前記映像の終わりに向かって順方向に移動し、
　
前記順方向インジケータの位置は、前記映像の内容がアクセス可能な最も遅いポイントを示し、
　
前記方法は、
、
　【請求項９】
　前記順方向プレビュー画像のユーザ選択を受信することと、
　前記ユーザ選択を受信したことに応答して、前記選択された順方向プレビュー画像に対応する前記順方向インジケータの前記現在の位置から前記映像を再生することと
　をさらに含む、請求項８に記載の方法。
　【請求項１０】
　
非オンデマンド映像を巻き戻すための方法であって、前記方法は、
　
映像伝送の開始点よりも後の第１のアクセスポイントにおいて前記映像にアクセスすることと、
　
前記第１のアクセスポイントよりも前に伝送された前記映像の内容を含む逆方向ストリームを受信することであって、前記逆方向ストリームは、実質的に連続する逆の順番で第１のアクセスポイントから前記映像の始まりに向かって前記映像を含む、ことと、
　
前記逆方向ストリームの内容を逆方向バッファ内にキャッシュすることと、
　
逆方向バーを含む転送制御バーを表示することと
　
を含み、
　
前記逆方向バーは、前記第１のアクセスポイントにおいて始まり、逆方向インジケータにおいて終わり、
　
前記逆方向インジケータは、前記逆方向ストリームの内容が前記逆方向バッファ内にキャッシュされるにつれて、前記第１のアクセスポイントから前記映像の始まりに向かって逆方向に移動し、
　
前記逆方向インジケータの位置は、前記映像の内容がアクセス可能な最も早いポイントを示し、
　
前記方法は、
、
　【請求項１１】
　非オンデマンド映像を巻き戻すためのシステムであって、前記システムは、
　映像伝送の開始点よりも後の第１のアクセスポイントにおいて前記映像にアクセスする手段と、
　前記第１のアクセスポイントよりも前に伝送された前記映像の内容を含む逆方向ストリームを受信する手段であって、前記逆方向ストリームは、
前記映像のフレームをスキップすることなく
　
前記映像が伝送されている間に
　逆方向バーを含む転送制御バーを表示する手段と
　を含み、
　前記逆方向バーは、前記第１のアクセスポイントにおいて始まり、逆方向インジケータにおいて終わり、
　前記逆方向インジケータは、前記逆方向ストリームの内容が前記逆方向バッファ内にキャッシュされるにつれて、前記第１のアクセスポイントから前記映像の始まりに向かって逆方向に移動し、
　前記逆方向インジケータの位置は、前記映像の内容がアクセス可能な最も早いポイントを示
し、
　
前記システムは、
　
ユーザの巻き戻し要求を受信する手段と、
　
前記巻き戻し要求に応答して、前記転送制御バーに沿って逆方向に移動する逆方向カーソルを表示する手段と、
　
前記巻き戻し要求に続いて、前記ユーザから再生要求を受信したことに応答して、前記逆方向バッファ内にキャッシュされた前記逆方向ストリームを用いて、前記逆方向カーソルの現在の位置から前記映像を再生する手段と
　
をさらに含む、
　【請求項１２】
　前記逆方向インジケータよりも早い前記映像の内容は、アクセス不可能である、請求項１１に記載のシステム。
　【請求項１３】
　
非オンデマンド映像を巻き戻すためのシステムであって、前記システムは、
　
映像伝送の開始点よりも後の第１のアクセスポイントにおいて前記映像にアクセスする手段と、
　
前記第１のアクセスポイントよりも前に伝送された前記映像の内容を含む逆方向ストリームを受信する手段であって、前記逆方向ストリームは、実質的に連続する逆の順番で第１のアクセスポイントから前記映像の始まりに向かって前記映像を含む、手段と、
　
前記逆方向ストリームの内容を逆方向バッファ内にキャッシュする手段と、
　
逆方向バーを含む転送制御バーを表示する手段と
　
を含み、
　
前記逆方向バーは、前記第１のアクセスポイントにおいて始まり、逆方向インジケータにおいて終わり、
　
前記逆方向インジケータは、前記逆方向ストリームの内容が前記逆方向バッファ内にキャッシュされるにつれて、前記第１のアクセスポイントから前記映像の始まりに向かって逆方向に移動し、
　
前記逆方向インジケータの位置は、前記映像の内容がアクセス可能な最も早いポイントを示し、
　
前記システムは、
、
　【請求項１４】
　前記逆方向プレビュー画像のユーザ選択を受信する手段と、
　前記ユーザ選択を受信したことに応答して、前記選択された逆方向プレビュー画像に対応する前記逆方向インジケータの前記現在の位置から前記映像を再生する手段と
　をさらに含む、請求項１３に記載のシステム。
　【請求項１５】
　前記転送制御バーは、ユーザに対して現在の再生位置を示す現在のインジケータをさらに含む、請求項
１３
　【請求項１６】
　まだ伝送されていない前記映像の内容を含む順方向ストリームを受信する手段であって、前記順方向ストリームは、前記映像が最初にアクセスされた時間の後から前記映像の終わりに向かって順方向に前記映像をストリームし、前記順方向ストリームは、リアルタイムよりも速く伝送される、手段と、
　前記順方向ストリームの内容を順方向バッファ内にキャッシュする手段と
　をさらに含む、請求項
１３
　【請求項１７】
　前記転送制御バーは、順方向バーをさらに含み、
　前記順方向バーは、前記第１のアクセスポイントにおいて始まり、順方向インジケータにおいて終わり、
　前記順方向インジケータは、前記順方向ストリームの内容が前記順方向バッファ内にキャッシュされるにつれて、前記第１のアクセスポイントから前記映像の終わりに向かって順方向に移動し、
　前記順方向インジケータの位置は、前記映像の内容がアクセス可能な最も遅いポイントを示す、請求項１６に記載のシステム。
　【請求項１８】
　
非オンデマンド映像を巻き戻すためのシステムであって、前記システムは、
　
映像伝送の開始点よりも後の第１のアクセスポイントにおいて前記映像にアクセスする手段と、
　
前記第１のアクセスポイントよりも前に伝送された前記映像の内容を含む逆方向ストリームを受信する手段であって、前記逆方向ストリームは、実質的に連続する逆の順番で第１のアクセスポイントから前記映像の始まりに向かって前記映像を含む、手段と、
　
前記逆方向ストリームの内容を逆方向バッファ内にキャッシュする手段と、
　
逆方向バーを含む転送制御バーを表示する手段と
　
を含み、
　
前記逆方向バーは、前記第１のアクセスポイントにおいて始まり、逆方向インジケータにおいて終わり、
　
前記逆方向インジケータは、前記逆方向ストリームの内容が前記逆方向バッファ内にキャッシュされるにつれて、前記第１のアクセスポイントから前記映像の始まりに向かって逆方向に移動し、
　
前記逆方向インジケータの位置は、前記映像の内容がアクセス可能な最も早いポイントを示し、
　
前記システムは、
　
まだ伝送されていない前記映像の内容を含む順方向ストリームを受信する手段であって、前記順方向ストリームは、前記映像が最初にアクセスされた時間の後から前記映像の終わりに向かって順方向に前記映像をストリームし、前記順方向ストリームは、リアルタイムよりも速く伝送される、手段と、
　
前記順方向ストリームの内容を順方向バッファ内にキャッシュする手段と
　
をさらに含み、
　
前記転送制御バーは、順方向バーをさらに含み、
　
前記順方向バーは、前記第１のアクセスポイントにおいて始まり、順方向インジケータにおいて終わり、
　
前記順方向インジケータは、前記順方向ストリームの内容が前記順方向バッファ内にキャッシュされるにつれて、前記第１のアクセスポイントから前記映像の終わりに向かって順方向に移動し、
　
前記順方向インジケータの位置は、前記映像の内容がアクセス可能な最も遅いポイントを示し、
　
前記システムは、
、
　【請求項１９】
　前記順方向プレビュー画像のユーザ選択を受信する手段と、
　前記ユーザ選択を受信したことに応答して、前記選択された順方向プレビュー画像に対応する前記順方向インジケータの前記現在の位置から前記映像を再生する手段と
　をさらに含む、請求項１８に記載のシステム。
　【請求項２０】
　
非オンデマンド映像を巻き戻すためのシステムであって、前記システムは、
　
映像伝送の開始点よりも後の第１のアクセスポイントにおいて前記映像にアクセスする手段と、
　
前記第１のアクセスポイントよりも前に伝送された前記映像の内容を含む逆方向ストリームを受信する手段であって、前記逆方向ストリームは、実質的に連続する逆の順番で第１のアクセスポイントから前記映像の始まりに向かって前記映像を含む、手段と、
　
前記逆方向ストリームの内容を逆方向バッファ内にキャッシュする手段と、
　
逆方向バーを含む転送制御バーを表示する手段と
　
を含み、
　
前記逆方向バーは、前記第１のアクセスポイントにおいて始まり、逆方向インジケータにおいて終わり、
　
前記逆方向インジケータは、前記逆方向ストリームの内容が前記逆方向バッファ内にキャッシュされるにつれて、前記第１のアクセスポイントから前記映像の始まりに向かって逆方向に移動し、
　
前記逆方向インジケータの位置は、前記映像の内容がアクセス可能な最も早いポイントを示し、
　
前記システムは、
、